(57)【特許請求の範囲】
【請求項１】
センターシャーシを有する吸収性物品であって、前記センターシャーシは、トップシートと、バックシートと、吸収性コアと、を含み、
当該吸収性物品は、
前方腰部領域及び前方腰部端縁と、
後方腰部領域及び後方腰部端縁と、
前記前方腰部領域に配置されている前方内側ベルト部分と、
前記前方腰部領域に配置されている前方外側ベルト部分と、
前記後方腰部領域に配置されている後方内側ベルト部分と、
前記後方腰部領域に配置されている後方外側ベルト部分と、
前記前方内側ベルト部分内かつ前記前方外側ベルト部分の内側に配置されている第１の複数個の成形弾性体と、
前記前方外側ベルト部分内かつ前記前方内側ベルト部分の外側に配置されている第２の複数個の固定弾性体であって、前記センターシャーシ上の横方向中心線に対して凸状である湾曲した弾性体を含む、第２の複数個の固定弾性体と、
前記後方内側ベルト部分内かつ前記後方外側ベルト部分の内側に配置されている第３の複数個の弾性体と、
前記後方外側ベルト部分内かつ前記後方内側ベルト部分の外側に配置されている第４の複数個の弾性体と、を含み、  当該吸収性物品は、使捨可能及び着用可能であり、
前記前方及び後方内側ベルト部分並びに前記前方及び後方外側ベルト部分は、前記バックシートの外側に配置されている、吸収性物品。
【請求項２】
前記前方外側ベルト部分の内側及び外側の長手方向対向端縁の少なくとも一つが前記センターシャーシ上の横方向中心線に対して凸状に湾曲している、請求項１に記載の吸収性物品。
【請求項３】
前記第１の複数個の弾性体が前記センターシャーシ上の横方向中心線に対して凸状である湾曲した弾性体を含む、請求項１又は２に記載の吸収性物品。
【請求項４】
前記前方内側ベルト部分の内側及び外側の長手方向対向端縁の少なくとも一つが前記センターシャーシ上の横方向中心線に対して凸状に湾曲している、請求項１〜３のいずれか一項に記載の吸収性物品。
【請求項５】
前記第４の複数個の弾性体が固定弾性体である、請求項１〜４のいずれか一項に記載の吸収性物品。
【請求項６】
前記第４の複数個の弾性体が固定弾性体であって、前記センターシャーシー上の横方向中心線に対して凹状に湾曲している、請求項１に記載の吸収性物品。
【請求項７】
センターシャーシを有する吸収性物品であって、前記センターシャーシは、トップシートと、バックシートと、吸収性コアと、を含み、  当該吸収性物品は、  前方腰部領域及び前方腰部端縁と、  後方腰部領域及び後方腰部端縁と、  前記前方腰部領域に配置されている前方内側ベルト部分と、  前記前方腰部領域に配置されている前方外側ベルト部分と、  前記後方腰部領域に配置されている後方内側ベルト部分と、  前記後方腰部領域に配置されている後方外側ベルト部分と、  前記前方内側ベルト部分内かつ前記前方外側ベルト部分の内側に配置されている第１の複数個の弾性体と、  前記前方外側ベルト部分内かつ前記前方内側ベルト部分の外側に配置されている第２の複数個の弾性体と、  前記後方内側ベルト部分内かつ前記後方外側ベルト部分の内側に配置されている第３の複数個の成形弾性体と、  前記後方外側ベルト部分内かつ前記後方内側ベルト部分の外側に配置されている第４の複数個の固定弾性体であって、前記センターシャーシ上の横方向中心線に対して凹状である湾曲した弾性体を含む、第４の複数個の固定弾性体と、を含み、  当該吸収性物品は、使捨可能及び着用可能であり、  前記前方及び後方内側ベルト部分並びに前記前方及び後方外側ベルト部分は、バックシートの外側に配置されている、吸収性物品。
【請求項８】
前記後方外側ベルト部分の内側及び外側の長手方向対向端縁の少なくとも一つが前記センターシャーシ上の横方向中心線に対して凹状に湾曲している、請求項７に記載の吸収性物品。
【請求項９】
前記第３の複数個の弾性体が前記センターシャーシ上の横方向中心線に対して凹状である湾曲した弾性体を含む、請求項７に記載の吸収性物品。
【請求項１０】
前記後方内側ベルト部分の少なくとも１つの長手方向対向縁部が前記センターシャーシ上の横方向中心線に対して凸状に湾曲している、請求項７に記載の吸収性物品。
【請求項１１】
前記第２の複数個の弾性体が固定弾性体である、請求項７に記載の吸収性物品。
【請求項１２】
前記第２の複数個の弾性体が固定弾性体であって、前記センターシャーシー上の横方向中心線に対して凸状に湾曲している、請求項７に記載の吸収性物品。
【発明の詳細な説明】
【技術分野】
【０００１】
一般に、本開示の実施形態は、使捨可能及び着用可能である吸収性物品に関する。特に、本開示の実施形態は、多層内に弾性体を有する使捨可能及び着用可能吸収性物品に関する。
【背景技術】
【０００２】
使捨着用可能吸収性物品には、使捨おむつ及び使捨失禁用下着（例えば、成人用失禁製品）が挙げられる。使捨着用可能吸収性物品は、着用者により着用されている間、体外排泄物を受容し収容することができる。そのような物品は、数多くの構成で種々の材料により作製できる。使捨着用可能吸収性物品の設計は、着用されている間に物品が機能する方法に影響を及ぼすことがある。
【０００３】
弾性材料は、使捨着用可能吸収性物品で様々な弾性構造体として構成され得る。これらの弾性構造体は、異なる方法で働き、着用者に様々な利益を提供することができる。例えば、より力の小さい弾性体又は離間した弾性体で弾性体を構成してもよい。「成形弾性体」とは、たとえばより力の小さい弾性体又は離間した弾性体によって構成することにより、順応するフィット性を提供し、着用者の皮膚全体に接触力を分散するのに役立ち得る弾性体をいう。別の例としては、より力の大きい弾性体又は密集させた弾性体で弾性体を構成してもよい。「固定弾性体」とは、たとえばより力の大きい弾性体又は密集させた弾性体により構成することにより、物品から着用者の体の特定部分へ負荷を伝達することによって物品を着用者上の適所に保持するのに役立ち得る弾性体をいう。
【発明の概要】
【発明が解決しようとする課題】
【０００４】
残念ながら、使捨着用可能吸収性物品が異なる弾性構造体を含むとき、それらの構造体は共に十分に働かないことがある。例えば、使捨着用可能吸収性物品が成形弾性体及び固定弾性体を共に含み、それらの異なる弾性構造体が互いからある程度独立して働くことができない場合、それらの機能は損なわれることがある。固定弾性体が過剰な負荷を成形弾性体が含まれる領域へ伝達する場合、それらは着用者の皮膚に力を集中させ、不快感及び赤い痕を生じることがある。成形弾性体が固定弾性体によって生成された負荷を弱める場合、固定弾性体は負荷を着用者の体の意図した部分へ効果的に伝達しないことがあり、物品をたるませる可能性がある。使捨着用可能吸収性物品が共に十分に働かない弾性構造体を含む場合、物品は、不快さを感じ、魅力的に見えず、着用者が着用している間、十分に機能しないことがある。
【課題を解決するための手段】
【０００５】
一態様では、吸収性物品は、トップシート、バックシート、及び吸収性コアを含む、センターシャーシを有する。吸収性物品は、前方腰部領域及び前方腰部端縁と、後方腰部領域及び後方腰部端縁と、前方腰部領域に配置されている前方内側ベルト部分と、前方腰部領域に配置されている前方外側ベルト部分と、後方腰部領域に配置されている後方内側ベルト部分と、後方腰部領域に配置されている後方外側ベルト部分と、前方内側ベルト部分内かつ前方外側ベルト部分の内側に配置されている第１の複数個の弾性体と、前方外側ベルト部分内かつ前方内側ベルト部分の外側に配置されている第２の複数個の弾性体であって、センターシャーシ上の横方向中心線に対して凸状である湾曲した弾性体を含む、第２の複数個の弾性体と、後方内側ベルト部分内かつ後方外側ベルト部分の内側に配置されている第３の複数個の弾性体と、後方外側ベルト部分内かつ後方内側ベルト部分の外側に配置されている第４の複数個の弾性体と、を含み、第１、第２、第３、及び第４の複数個の弾性体の少なくとも１つの少なくとも一部が固定弾性体を含み、第１、第２、第３、及び第４の複数個の弾性体の少なくとも１つの少なくとも一部が成形弾性体を含み、吸収性物品が使捨可能及び着用可能である。
【０００６】
別の態様では、吸収性物品は、トップシート、バックシート、及び吸収性コアを含む、センターシャーシを有する。吸収性物品は、前方腰部領域及び前方腰部端縁と、後方腰部領域及び後方腰部端縁と、前方腰部領域に配置されている前方内側ベルト部分と、前方腰部領域に配置されている前方外側ベルト部分と、後方腰部領域に配置されている後方内側ベルト部分と、後方腰部領域に配置されている後方外側ベルト部分と、前方内側ベルト部分内かつ前方外側ベルト部分の内側に配置されている第１の複数個の弾性体と、前方外側ベルト部分内かつ前方内側ベルト部分の外側に配置されている第２の複数個の弾性体と、後方内側ベルト部分内かつ後方外側ベルト部分の内側に配置されている第３の複数個の弾性体と、後方外側ベルト部分内かつ後方内側ベルト部分の外側に配置されている第４の複数個の弾性体であって、センターシャーシ上の横方向中心線に対して凸状である湾曲した弾性体を含む、第４の複数個の弾性体と、を含み、第１、第２、第３、及び第４の複数個の弾性体の少なくとも１つの少なくとも一部が固定弾性体を含み、第１、第２、第３、及び第４の複数個の弾性体の少なくとも１つの少なくとも一部が成形弾性体を含み、吸収性物品が使捨可能及び着用可能である。
【０００７】
更に別の態様では、吸収性物品は、トップシート、バックシート、及び吸収性コアを含む、センターシャーシを有する。吸収性物品は、前方腰部領域及び前方腰部端縁と、後方腰部領域及び後方腰部端縁と、前方腰部領域に配置されている前方内側ベルト部分と、前方腰部領域に配置されている前方外側ベルト部分と、後方腰部領域に配置されている後方内側ベルト部分と、後方腰部領域に配置されている後方外側ベルト部分と、前方内側ベルト部分内かつ前方外側ベルト部分の内側に配置されている第１の複数個の弾性体と、前方外側ベルト部分内かつ前方内側ベルト部分の外側に配置されている第２の複数個の弾性体であって、センターシャーシ上の横方向中心線に対して凸状である湾曲した弾性体を含む、第２の複数個の弾性体と、後方内側ベルト部分内かつ後方外側ベルト部分の内側に配置されている第３の複数個の弾性体と、後方外側ベルト部分内かつ後方内側ベルト部分の外側に配置されている第４の複数個の弾性体であって、センターシャーシ上の横方向中心線に対して凸状である湾曲した弾性体を含む、第４の複数個の弾性体と、を含み、第１、第２、第３、及び第４の複数個の弾性体の少なくとも１つの少なくとも一部が固定弾性体を含み、第１、第２、第３、及び第４の複数個の弾性体の少なくとも１つの少なくとも一部が成形弾性体を含み、吸収性物品が使捨可能及び着用可能である。本開示の更なる態様は、本特許の特許請求の範囲によって定義される。
【図面の簡単な説明】
【０００８】
【図１Ａ】多層内に弾性体の第１の実施形態を含む、ベルト型使捨着用可能吸収性物品の平面図を示す。
【図１Ｂ】第１の断面線で得られた、図１Ａの物品の前方の部分の分解組立断面側面図を示す。
【図１Ｃ】第２の断面線で得られた、図１Ａの物品の前方の部分の分解組立断面側面図を示す。
【図１Ｄ】多層内に弾性体の第１の実施形態を含む、パンツ型使捨着用可能吸収性物品の平面図を示す。
【図１Ｅ】多層内に弾性体の第１の実施形態を含む、前締結式使捨着用可能吸収性物品の平面図を示す。
【図２Ａ】多層内に弾性体の第２の実施形態を含む、ベルト型使捨着用可能吸収性物品の平面図を示す。
【図２Ｂ】断面線で得られた、図２Ａの物品の前方の部分の分解組立断面側面図を示す。
【図２Ｃ】多層内に弾性体の第２の実施形態を含む、パンツ型使捨着用可能吸収性物品の平面図を示す。
【図２Ｄ】多層内に弾性体の第２の実施形態を含む、前締結式使捨着用可能吸収性物品の平面図を示す。
【図３Ａ】多層内に弾性体の第３の実施形態を含む、ベルト型使捨着用可能吸収性物品の平面図を示す。
【図３Ｂ】第１の断面線で得られた、図３Ａの物品の前方の部分の分解組立断面側面図を示す。
【図３Ｃ】第２の断面線で得られた、図３Ａの物品の前方の部分の分解組立断面側面図を示す。
【図３Ｄ】多層内に弾性体の第３の実施形態を含む、パンツ型使捨着用可能吸収性物品の平面図を示す。
【図３Ｅ】多層内に弾性体の第３の実施形態を含む、前締結式使捨着用可能吸収性物品の平面図を示す。
【図４Ａ】成形弾性体の第１の実施形態を含む、前締結式使捨着用可能吸収性物品の平面図を示す。
【図４Ｂ】成形弾性体の第１の実施形態を含む、パンツ型使捨着用可能吸収性物品の平面図を示す。
【図５Ａ】成形弾性体の第２の実施形態を含む、前締結式使捨着用可能吸収性物品の平面図を示す。
【図５Ｂ】成形弾性体の第２の実施形態を含む、パンツ型使捨着用可能吸収性物品の平面図を示す。
【図６Ａ】成形弾性体の第３の実施形態を含む、前締結式使捨着用可能吸収性物品の平面図を示す。
【図６Ｂ】成形弾性体の第３の実施形態を含む、パンツ型使捨着用可能吸収性物品の平面図を示す。
【図７Ａ】成形弾性体の第４の実施形態を含む、前締結式使捨着用可能吸収性物品の平面図を示す。
【図７Ｂ】成形弾性体の第４の実施形態を含む、パンツ型使捨着用可能吸収性物品の平面図を示す。
【図８Ａ】成形弾性体の第５の実施形態を含む、前締結式使捨着用可能吸収性物品の平面図を示す。
【図８Ｂ】成形弾性体の第５の実施形態を含む、パンツ型使捨着用可能吸収性物品の平面図を示す。
【図９Ａ】固定弾性体の第１の実施形態を含む、前締結式使捨着用可能吸収性物品の平面図を示す。
【図９Ｂ】固定弾性体の第１の実施形態を含む、パンツ型使捨着用可能吸収性物品の平面図を示す。
【図１０Ａ】固定弾性体の第２の実施形態を含む、前締結式使捨着用可能吸収性物品の平面図を示す。
【図１０Ｂ】固定弾性体の第２の実施形態を含む、パンツ型使捨着用可能吸収性物品の平面図を示す。
【図１１Ａ】固定弾性体の第３の実施形態を含む、前締結式使捨着用可能吸収性物品の平面図を示す。
【図１１Ｂ】固定弾性体の第３の実施形態を含む、パンツ型使捨着用可能吸収性物品の平面図を示す。
【発明を実施するための形態】
【０００９】
本開示の実施形態は、共に十分に働く異なる弾性構造体を有する使捨着用可能吸収性物品を含む。異なる弾性構造体は、多層内に分離され得る。例えば、使捨着用可能吸収性物品は、材料の１つ以上の層によって互いから分離される成形弾性体及び固定弾性体を含むことができる。成形弾性体は固定弾性体から分離されているため、それらは互いに独立して働くことができる。成形弾性体は、順応するフィット性を提供し、着用者の皮膚全体に接触力を分散するのに少なくとも役立ち得るのに対し、固定弾性体は、物品を着用者上の適所に保持するのに少なくとも役立ち得る。その結果、本開示の使捨着用可能吸収性物品は、適用がより簡単で、快適さを感じ、魅力的に見え、着用者が着用している間、十分に機能することができる。
【００１０】
吸収性物品としては、ヒト用生理用品及びヒト用衛生用途などのための製品が挙げられる。吸収性物品の一部のものは着用型である。着用可能吸収性物品は、着用者の身体の胴体下部又はその周囲に着用されるよう構成されている。着用可能吸収性物品の例には、おむつ、トレーニングパンツ、及び失禁用下着が挙げられる（全年齢の人向けのこれらのそれぞれの実施形態を含む）。
【００１１】
使捨着用可能吸収性物品は、吸収性コアを含むことができる。本開示全体を通して、用語、吸収性コアは、着用者の体から物品に受容される排泄物（尿、経血、及び糞便など）を吸収するように構成された使捨着用可能吸収性物品の一部を指す。吸収性コアは、当業者により理解されるであろう種々の方法で構成されることができる。吸収性コアは、吸収性フォーム、嵩高不織布、木材パルプ、及び／又は超吸収体粒子などの１つ以上の吸収性材料を含むことができ、当該技術分野において既知のように、体外排泄物を受容し、収容し、貯蔵し、及び／又は処理するための１つ以上の更なる組成物、材料、又は構造体を含んでもよい。
【００１２】
吸収性コアは、液体透過性トップシート、獲得層、分配層、貯蔵層、及び液体不透過性バックシートのような１つ以上の層を備える、吸収性アセンブリの一部であってもよい。吸収性コアの一部、いくつかの部分、若しくは全て、及び／又は吸収性アセンブリの一部、いくつかの部分、若しくは全ては、バリアレグカフ、糞便収容区画、湿り度インジケータ、物品内にコアを保持するための締結具、廃棄用テープなどの、１つ以上の種々の構造体も含み得る。更に、吸収性コアの一部、いくつかの部分、若しくは全て、及び／又は吸収性アセンブリの一部、いくつかの部分、若しくは全ては、ローション、香料、及び感覚剤などの、１つ以上の組成物を含み得る。吸収性コア及び／又は吸収性アセンブリは、バケット型吸収性アセンブリ、取り外し可能な吸収性コア又は吸収性アセンブリ、交換可能な吸収性コアなどとして構成されてもよい。
【００１３】
使捨着用可能吸収性物品は、外側カバーもまた含むことができる。本開示全体を通して、用語、外側カバーは、吸収性コアの縁を越えて広がり、たいていは着用者の臀部の大部分を覆い、一般的に下着の外観に似た形状である、物品の外側表面（バックシートと呼ぶこともある）を形成する使捨着用可能吸収性物品の一部を指す。本明細書に記述するように、外側カバーは様々な方法で構成され得る。様々な実施形態では、外側カバーは、使捨着用可能吸収性物品のシャーシの少なくとも一部と一致する、及び／又はそれを画定することができる。
【００１４】
吸収性物品の一部のものは使捨である。使捨吸収性物品は、一回使用した後に廃棄されるよう構成される（例えば、再利用、再保管、又は洗濯されるよう意図されない）。使捨吸収性物品の例としては、使捨おむつ、使捨トレーニングパンツ、使捨失禁用下着、並びに女性用ケアのパッド及びライナーが挙げられる。
【００１５】
弾性材料は、使捨着用可能吸収性物品で様々な弾性構造体として構成され得る。これらの弾性構造体は、異なる方法で働き、着用者に様々な利益を提供することができる。例えば、より力の小さい弾性体又は離間した弾性体を成形弾性体として構成してもよい。成形弾性体は、順応するフィット性を提供し、着用者の皮膚全体に接触力を分散するのに少なくとも役立ち得る。別の例としては、より力の大きい弾性体又は密集させた弾性体を固定弾性体として構成してもよい。固定弾性体は、物品から着用者の体の特定部分へ負荷を伝達することによって物品を着用者上の適所に保持するのに少なくとも役立ち得る。
【００１６】
図１Ａ〜３Ｅの実施形態は、多層内に弾性体の様々な実施形態を有する、異なる種類の使捨着用可能吸収性物品を示す。
【００１７】
図１Ａは、多層内に弾性体の第１の実施形態を含む、ベルト型使捨着用可能吸収性物品１００の平面図を示す。図１Ａは、ベルト型使捨着用可能吸収性物品１００の平面図を示す。図１Ａの図は、物品１００の内側（着用者に面する側）を示す。
【００１８】
本開示全体を通して、ベルト型使捨着用可能吸収性物品への言及は、締結可能な実施形態、又は締結具のない実施形態を指すことができる。ベルト型使捨着用可能吸収性物品への言及はまた、予め形成された（すなわち、物品の製造中に形成された）１つ以上の腰部開口部及び／又は脚部開口部を有する物品の実施形態、又は予め形成されたのではない腰部開口部及び脚部開口部を有する物品の実施形態を指す場合もある。したがって、当業者には理解されるように、ベルト型として記載される本開示の使捨着用可能吸収性物品のそれぞれの実施形態は、これらのいずれのやり方でも構成され得る。
【００１９】
図１Ａでは、長手方向中心線１１３及び横方向中心線１１７が、物品１００の部分の相対位置を参照するための基準線を提供する。第１部分が第２部分よりも長手方向中心線１１３に近接するとき、第１部分は、第２部分に対して横方向に内側寄り１１２にあると考えることができる。同様に、第２部分は、第１部分から横方向外側１１４にあるものとみなすことができる。第１部分は第２部分に対して近位にあり、第２部分は第１部分に対して遠位にあるであろう。第３部分が第４部分よりも横方向中心線１１７に近接するとき、第３部分は、第４部分に対して長手方向内側寄り１１６にあると考えることができる。同様に、第４部分は、第３部分から長手方向外側１１８にあるものとみなすことができる。第３部分は第４部分に対して近位にあり、第４部分は第３部分に対して遠位にあるであろう。本開示全体を通して、ある部分が別の部分から単に内側寄りと言われるとき、ある部分は他の部分から横方向内側寄り及び／又は長手方向内側寄りにある。同様に、ある部分が別の部分から単に外側寄りと言われるとき、ある部分は他の部分から横方向外側寄り及び／又は長手方向外側寄りにある。
【００２０】
図１Ａは、物品１００に関し、横方向内側寄り１１２、横方向外側寄り１１４、長手方向内側寄り１１６、及び長手方向外側寄り１１８の相対方向を示す矢印を含んでいる。本開示全体を通して、特に指定のない限り、長手方向寸法、測定値、線、又は方向への言及は、長手方向中心線１１３に対して実質的に又は完全に平行である寸法、測定値、線、又は方向を指し、横方向寸法、測定値、線、又は方向への言及は、横方向中心線１１７に対して実質的に又は完全に平行である寸法、測定値、線、又は方向を指す。
【００２１】
物品１００は、前方１２４及び後方１２６を含む。前方１２４は、物品１００が着用者によって着用されるとき、一般に着用者の腹部に近接して及び／又はその下に配置されている物品１００の部分である。「前方」への言及は、その言及の前後関係に応じて、前方それ自体、前方の要素の一部若しくはいくつかの部分又は実質的に全て若しくは全て、及び／又は前方の配置を意味し得る。後方１２６は、物品１００が着用者によって着用されるとき、一般に着用者の背部に近接して及び／又はその下に配置されている物品１００の部分である。「後方」への言及は、その言及の前後関係に応じて、後方それ自体、後方の要素の一部若しくはいくつかの部分又は実質的に全て若しくは全て、及び／又は後方の配置を意味し得る。物品１００の横方向中心線１１７は、物品を長手方向で半分に分け、前方１２４と後方１２６との間に境界線を形成する。上記した前方及び後方の技術用語は、特に指示がない限り、本開示全体を通して使捨着用可能吸収性物品に使用される。
【００２２】
物品１００は、ベルト１６０及びセンターシャーシ１２０を含む。前方ベルト部分１６１及び後方ベルト部分１６９は、ベルト１６０を形成する。物品１００は、前方ベルト部分１６１からセンターシャーシ１２０を通って後方ベルト部分まで延びる吸収性コア１２７を含む。センターシャーシ１２０は、吸収性コア１２７の内側にあるトップシート１０６と、吸収性コア１２７の外側にあるバックシート１０７とを含む。
【００２３】
前方１２４は、前方腰部端縁１０９に隣接し、物品の長手方向全長の３分の１〜４分の１である、前方腰部領域を有する前方ベルト部分１６１を含む。後方１２６は、後方腰部端縁１０４に隣接し、物品の長手方向全長の３分の１〜４分の１である、後方腰部領域を有する後方ベルト部分１６９を含む。センターシャーシ１２０は、前方腰部領域と後方腰部領域との間に配置された股部領域を含み、股部領域は横方向中心線１１７を含む。吸収性コア１２７は、前方１２４から後方１２６まで延在する。
【００２４】
前方ベルト部分１６１は、図１Ｂ及び１Ｃに示したように、前方内側ベルト部分１６２及び前方外側ベルト部分１６５を有する。前方内側ベルト部分１６２は、複数個１９５の前方成形弾性体１９７を含む。複数個１９５は、図４Ａの実施形態の複数個４９５と同じやり方で構成される。前方外側ベルト部分１６５は、固定弾性体１４１を有する固定システム１３０を含む。固定システム１３０の固定弾性体１４１は、弾性体が図１１Ｂの実施形態の前方ＣＡＭ  １１４１と同様に本明細書に定義及び記載されるような周囲固定部材（ＣＡＭ）の形態で共に働く固定弾性体であることを除き、図８Ｂの実施形態の複数個の成形弾性体８９５と同じやり方で構成される。共に、複数個１９５の前方成形弾性体１９７及び複数個の固定弾性体１４１は、多層内に弾性体の第１の実施形態を形成する。
【００２５】
用語、内側及び外側は、内側ベルト部分及び外側ベルト部分に適用するとき、２つの部分の相対位置を互いとの関係において提供することを意味する。換言すれば、内側ベルト部分は、外側ベルト部分より物品の着用者に面する表面に近く配置され、外側ベルト部分は、内側ベルト部分より物品の衣類に面する表面に比較的近く配置される。特定の実施形態では、内側ベルト部分は、物品の内側の着用者に面する表面の一部を形成してもよく、外側ベルト部分は、物品の外側の衣類に面する表面の一部又は全てを形成してもよい。内側ベルト部分及び外側ベルト部分の一方又は両方は、バックシートの外側又は別の方法としてはバックシートの内側に配置され得る。
【００２６】
内側及び／又は外側ベルトは、様々な形状で形成されてもよい。内側及び外側ベルトは、方形であってもよく、又は腰部端縁及び横軸に対して凹状である内側及び外側の長手方向対向端縁を有してもよい。形状はまた、それぞれのベルト構造体に配置された弾性体の形状又は湾曲に実質的に従ってもよい。
【００２７】
図１Ａの実施形態では、後方ベルト部分１６９は弾性体を有していない。ただし、様々な実施形態では、後方ベルト部分１６９は、前方ベルト部分１６１と同じやり方で構成されてもよく、又は後方ベルト部分１６９は、異なるやり方で構成された弾性体を有してもよい。更に、図１Ａの実施形態に加えて本明細書に開示される任意の他の実施形態に関して、吸収性物品の前方又は後方で開示される成形弾性体及び／又は固定弾性体の任意の構成は、吸収性物品の他方の対応する端部で開示される弾性体の任意の他の構成と部分的又は全体的に組み合わされ得る。換言すれば、吸収性物品の実施形態は、本明細書に開示される任意の後方ベルト部分と部分的又は全体的に組み合わされた本明細書に開示される任意の前方ベルト部分から形成されることが、本明細書で意図される。
【００２８】
図１Ｂは、第１の断面線で得られた、図１Ａの物品１００の前方ベルト部分１６１の分解組立断面側面図を示す。図１Ｂは、内側方向１１１（着用者に向かい、外衣から離れる方向）及び外側方向１１９（着用者から離れ、外衣に向かう方向）を含む。この内側、内部、外側、及び外部の技術用語は、特に指示がない限り、本開示全体を通して使捨着用可能吸収性物品に使用される。
【００２９】
前方内側ベルト部分１６２は、内側ベルト層１６３、複数個１９５の前方成形弾性体１９７、及び外側ベルト層１６４を含む。ベルト内側層１６３は、最も内側のベルト層である。複数個１９５の前方成形弾性体１９７は、内側ベルト層１６３の外側１１９にある。外側ベルト層１６４は、複数個の成形弾性体１９７の外側１１９にある。様々な実施形態では、複数個１９５の前方成形弾性体１９７は、内側ベルト層１６３及び外側ベルト層１６４の一方又は両方に接合され得る。
【００３０】
内側ベルト層１６３及び／又は外側ベルト層１６４は、不織布、フィルム、不織布及びフィルムを含む積層体、又は材料の層を形成するのに好適な任意の他の種類の材料であってもよい。様々な代替実施形態では、内側ベルト層１６３又は外側ベルト層１６４は、削除されてもよい。様々な代替実施形態では、前方内側ベルト部分１６２は、１つ以上の追加の材料又は層も含み得る。
【００３１】
前方外側ベルト部分１６５は、内側ベルト層１６６、複数個の固定弾性体１４１から形成される固定システム１３０、及び外側ベルト層１６７を含む。複数個の固定弾性体１４１は、内側ベルト層１６６の外側１１９にある。外側ベルト層の材料１６７は、複数個の固定弾性体１４１の外側１１９にある。外側層１６７は、ベルト部分１６５の最も外側の層である。様々な実施形態では、複数個の固定弾性体１４１は、内側ベルト層１６６及び外側ベルト層１６７の一方又は両方に接合され得る。
【００３２】
内側ベルト層１６６及び／又は外側ベルト層１６７は、不織布、フィルム、不織布及びフィルムを含む積層体、又は材料の層を形成するのに好適な任意の他の種類の材料であってもよい。様々な代替実施形態では、内側ベルト層１６６又は外側ベルト層１６７は、削除されてもよい。様々な代替実施形態では、前方外側ベルト部分１６５は、１つ以上の追加の材料又は層も含み得る。
【００３３】
成形弾性体１９７及び固定弾性体１４１は、多層内に分離されている。成形弾性体は固定弾性体から分離されているため、それらは互いにある程度独立して働くことができる。成形弾性体は、順応するフィット性を提供し、着用者の皮膚全体に接触力を分散するのに少なくとも役立ち得るのに対し、固定弾性体は、物品を着用者上の適所に保持するのに少なくとも役立ち得る。その結果、ベルト型使捨着用可能吸収性物品１００の実施形態は、快適さを感じ、魅力的に見え、着用されている間、十分に機能することができる。
【００３４】
図１Ｂの実施形態では、センターシャーシ１２０は、前方内側ベルト部分１６２の外側１１９にあり、前方外側ベルト部分１６５は、センターシャーシ１２０の外側１１９にある。ただし、代替実施形態では、前方外側ベルト部分１６５は、前方内側ベルト部分１６２の外側１１９かつセンターシャーシ１２０の内側１１１に配置されてもよい。別の代替実施形態では、前方内側ベルト部分１６２は、センターシャーシ１２０の外側１１９かつ前方外側ベルト部分１６５の内側に配置されてもよい。これらの代替実施形態では、外側ベルト層１６４は、内側ベルト層１６６に接合されてもよく、又はこれら２つの層の材料は、更には単一層の材料に置き換えられてもよい。
【００３５】
図１Ｃは、第２の断面線で得られた、図１Ａの物品１００の前方ベルト部分１６１の分解組立断面図を示す。
【００３６】
図１Ｄは、多層内に弾性体の第１の実施形態を含む、パンツ型使捨着用可能吸収性物品１０２の平面図を示す。図１Ｄのパンツ型物品１０２での弾性体の第１の実施形態は、シャーシの種類の違いを除き、図１Ａのベルト型物品１００での弾性体の第１の実施形態と同じやり方で構成される。
【００３７】
本開示全体を通して、パンツ型使捨着用可能吸収性物品への言及は、締結可能な実施形態、又は締結具のない実施形態を指すことができる。パンツ型使捨着用可能吸収性物品への言及はまた、予め形成された（すなわち、物品の製造中に形成された）１つ以上の腰部開口部及び／又は脚部開口部を有する物品の実施形態、又は予め形成されたのではない腰部開口部及び脚部開口部を有する物品の実施形態を指す場合もある。したがって、当業者には理解されるように、パンツ型として記載される本開示の使捨着用可能吸収性物品のそれぞれの実施形態は、これらのいずれのやり方でも構成され得る。
【００３８】
物品１０２は、前方１２４及び後方１２６を有するパンツ型シャーシ１２２を含む。物品１０２は、サイドパネル１５１も含む。物品１０２が着用のために形成されるとき、それぞれの前方サイドパネル１５１は、サイドパネル接続部で対応の後方サイドパネル１５１に接続される。
【００３９】
パンツ型使捨着用可能吸収性物品１０２は、多層内に分離された成形弾性体及び固定弾性体を備える弾性体の第１の実施形態を有するため、これらの弾性体は、互いにある程度独立して働くことができ、物品１０２は、快適さを感じ、魅力的に見え、着用されている間、十分に機能することができる。
【００４０】
図１Ｅは、多層内に弾性体の第１の実施形態を含む、前締結式使捨着用可能吸収性物品１０１の平面図を示す。図１Ｅの前締結式物品１０１での弾性体の第１の実施形態は、シャーシの種類の違いを除き、図１Ａのベルト型物品１００での弾性体の第１の実施形態と同じやり方で構成される。
【００４１】
物品１０１は、前方１２３及び後方１２５を有する前締結式シャーシ１２１を含む。物品１０１は、後方１２５に締結具１５４も含む。物品１０２が着用のために形成されるとき、後方１２５の締結具１５４のそれぞれは、前方１２３の部分と接続して締結接続部を形成する。
【００４２】
本開示は、前締結式使捨着用可能吸収性物品に関するが、本開示はまた、本明細書に記載するような使捨着用可能吸収性物品の別の実施形態も考えられ、この場合、使捨着用可能吸収性物品は、後締結式若しくは横締結式又はベルト締結式である。したがって、当業者には理解されるように、前締結式として記述される本開示の使捨着用可能吸収性物品のそれぞれの実施形態は、これらのいずれのやり方でも構成され得る。有用な締結具には、テープタブ、フック・ループ式ファスナー、連結締結具、例えば、タブ及びスロット、バックル、ボタン、スナップ、及び／又は雌雄同体締結要素が挙げられ得る。代表的な表面締結装置は、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されており、それに対して代表的な連結締結装置は、米国特許第６，４３２，０９８号に開示されている。締結装置は、米国特許第４，６９９，６２２号に開示されるように、一次及び二次締結装置を備えてもよい。更に、代表的な締結具及び締結具の配置、これらの締結具を形成する締結要素、並びに締結具の形成に好適な材料は、米国特許出願公開第２００３／００６０７９４号及び同第２００５／０２２２５４６号、並びに米国特許第６，４２８，５２６号に記載されている。
【００４３】
前締結式使捨着用可能吸収性物品１０１は、多層内に分離された成形弾性体及び固定弾性体を備える弾性体の第１の実施形態を有するため、これらの弾性体は、互いにある程度独立して働くことができ、物品１０１は、快適さを感じ、魅力的に見え、着用されている間、十分に機能することができる。
【００４４】
図２Ａは、多層内に弾性体の第２の実施形態を含む、ベルト型使捨着用可能吸収性物品２００の平面図を示す。図２Ａは、ベルト型使捨着用可能吸収性物品２００の平面図を示す。図２Ａの図は、物品２００の内側（着用者に面する側）を示す。
【００４５】
図２Ａでは、長手方向中心線２１３及び横方向中心線２１７が、物品２００の部分の相対位置を参照するための基準線を提供する。図２Ａは、物品２００に関し、横方向内側寄り２１２、横方向外側寄り２１４、長手方向内側寄り２１６、及び長手方向外側寄り２１８の相対方向を示す矢印を含んでいる。
【００４６】
物品２００は、前方２２４及び後方２２６を含む。物品２００は、ベルト２６０及びセンターシャーシ２２０を含む。前方ベルト部分２６１及び後方ベルト部分２６９は、ベルト２６０を形成する。物品２００は、前方ベルト部分２６１からセンターシャーシ２２０を通って後方ベルト部分２６９まで延びる吸収性コア２２７を含む。センターシャーシ２２０は、吸収性コア２２７の内側にあるトップシート２０６と、吸収性コア２２７の外側にあるバックシート２０７とを含む。
【００４７】
前方２２４は、前方腰部端縁２０９に隣接し、物品の長手方向全長の３分の１〜４分の１である、前方腰部領域を有する前方ベルト部分２６１を含む。後方２２６は、後方腰部端縁２０４に隣接し、物品の長手方向全長の３分の１〜４分の１である、後方腰部領域を有する後方ベルト部分２６９を含む。センターシャーシ２２０は、前方腰部領域と後方腰部領域との間に配置された股部領域を含み、股部領域は横方向中心線２１７を含む。吸収性コア２２７は、前方２２４から後方２２６まで延在する。
【００４８】
前方ベルト部分２６１は、図２Ｂに示したように、前方内側ベルト部分２６２及び前方外側ベルト部分２６５を有する。前方内側ベルト部分２６２は、複数個２９５の前方成形弾性体２９７（例えば、第１の複数個の弾性体）を含む。複数個２９５は、図４Ａの実施形態の複数個４９５と同じやり方で構成される。前方外側ベルト部分２６５は、固定弾性体２４１（例えば、第２の複数個の弾性体）を有する固定システム２３０を含む。固定システム２３０の固定弾性体２４１は、図１１Ｂの実施形態の前方ＣＡＭ  １１４１と同様に、ＣＡＭを形成する。共に、複数個２９５の前方成形弾性体２９７及び複数個の固定弾性体２４１は、多層内に弾性体の第２の実施形態を形成する。
【００４９】
前方及び後方腰部領域の一方のみで内側ベルト部分及び外側ベルト部分に複数個の弾性体を含む実施形態に関して、腰部領域で内側ベルト部分に配置された複数個の弾性体を、以下は第１の複数個の弾性体と呼ぶ。腰部領域で外側ベルト部分に配置された複数個の弾性体を、以下は第２の複数個の弾性体と呼ぶ。
【００５０】
前方及び後方腰部領域の両方で内側ベルト部分及び外側ベルト部分に複数個の弾性体を含む実施形態に関して、前方腰部領域で内側ベルト部分に配置された複数個の弾性体を、以下は第１の複数個の弾性体と呼ぶ。前方腰部領域で外側ベルト部分に配置された複数個の弾性体を、以下は第２の複数個の弾性体と呼ぶ。後方腰部領域で内側ベルト部分に配置された複数個の弾性体を、以下は第３の複数個の弾性体と呼ぶ。後方腰部領域で外側ベルト部分に配置された複数個の弾性体を、以下は第４の複数個の弾性体と呼ぶ。
【００５１】
図２Ａの実施形態では、後方ベルト部分２６９は、前方ベルト部分２６１と同じやり方で構成される。ただし、様々な実施形態では、後方ベルト部分２６９は、異なるやり方で構成された弾性体を有してもよく、又は弾性体なしで構成されてもよい。
【００５２】
図２Ｂは、第１の断面線で得られた、図２Ａの物品２００の前方ベルト部分２６１の分解組立断面側面図を示す。図２Ｂは、内側方向２１１及び外側方向２１９を含む。
【００５３】
前方内側ベルト部分２６２は、内側ベルト層２６３、複数個２９５の前方成形弾性体２９７、及び外側ベルト層２６４を含む。内側ベルト層２６３は、最も内側の層である。複数個２９５の前方成形弾性体２９７は、内側ベルト層２６３の外側２１９にある。外側ベルト層２６４は、複数個の成形弾性体２９７の外側２１９にある。様々な実施形態では、複数個２９５の前方成形弾性体２９７は、内側ベルト層２６３及び外側ベルト層２６４の一方又は両方に接合され得る。
【００５４】
内側ベルト層２６３及び／又は外側ベルト層２６４は、不織布、フィルム、不織布及びフィルムを含む積層体、又は材料の層を形成するのに好適な任意の他の種類の材料であってもよい。様々な代替実施形態では、内側ベルト層２６３又は外側ベルト層２６４は、削除されてもよい。様々な代替実施形態では、前方内側ベルト部分２６２は、１つ以上の追加の材料又は層も含み得る。
【００５５】
前方外側ベルト部分２６５は、内側ベルト層２６６、複数個の固定弾性体２４１から形成される固定システム２３０、及び外側ベルト層２６７を含む。複数個の固定弾性体２４１は、内側ベルト層２６６の外側２１９にある。外側ベルト層２６７は、複数個の固定弾性体２４１の外側２１９にある。外側ベルト層２６７は、最も外側の層である。様々な実施形態では、複数個の固定弾性体２４１は、内側ベルト層２６６及び外側ベルト層２６７の一方又は両方に接合され得る。
【００５６】
内側ベルト層２６６及び／又は外側ベルト層２６７は、不織布、フィルム、不織布及びフィルムを含む積層体、又は材料の層を形成するのに好適な任意の他の種類の材料であってもよい。様々な代替実施形態では、内側ベルト層２６６又は外側ベルト層２６７は、削除されてもよい。様々な代替実施形態では、前方外側ベルト部分２６５は、１つ以上の追加の材料又は層も含み得る。
【００５７】
成形弾性体２９７及び固定弾性体２４１は、多層内に分離されている。成形弾性体は固定弾性体から分離されているため、それらは互いにある程度独立して働くことができる。成形弾性体は、順応するフィット性を提供し、着用者の皮膚全体に接触力を分散するのに少なくとも役立ち得るのに対し、固定弾性体は、物品を着用者上の適所に保持するのに少なくとも役立ち得る。その結果、ベルト型使捨着用可能吸収性物品２００の実施形態は、快適さを感じ、魅力的に見え、着用されている間、十分に機能することができる。
【００５８】
図２Ｂの実施形態では、センターシャーシ２２０は、前方内側ベルト部分２６２の外側２１９にあり、前方外側ベルト部分２６５は、センターシャーシの外側２１９にある。ただし、代替実施形態では、前方外側ベルト部分２６５は、前方内側ベルト部分２６２の外側２１９かつセンターシャーシ２２０の内側２１１に配置されてもよい。別の代替実施形態では、前方内側ベルト部分２６２は、センターシャーシ２２０の外側２１９かつ前方外側ベルト部分２６５の内側に配置されてもよい。これらの代替実施形態では、外側ベルト層２６４は、内側ベルト層２６６に接合されてもよく、又はこれら２つの層の材料は、更には単一層の材料に置き換えられてもよい。
【００５９】
図２Ｃは、多層内に弾性体の第２の実施形態を含む、パンツ型使捨着用可能吸収性物品２０２の平面図を示す。図２Ｃのパンツ型物品２０２での弾性体の第２の実施形態は、シャーシの種類の違いを除き、図２Ａのベルト型物品２００での弾性体の第２の実施形態と同じやり方で構成される。物品２０２は、パンツ型シャーシ２２２を含む。パンツ型使捨着用可能吸収性物品２０２は、多層内に分離された成形弾性体及び固定弾性体を備える弾性体の第２の実施形態を有するため、これらの弾性体は、互いにある程度独立して働くことができ、物品２０２は、快適さを感じ、魅力的に見え、着用されている間、十分に機能することができる。
【００６０】
図２Ｄは、多層内に弾性体の第２の実施形態を含む、前／横締結式使捨着用可能吸収性物品２０１の平面図を示す。図２Ｄの前／横締結式物品２０１での弾性体の第２の実施形態は、シャーシの種類の違いを除き、図２Ａのベルト型物品２００での弾性体の第２の実施形態と同じやり方で構成される。物品２０１は、前／横締結式シャーシ２２１を含む。前／横締結式使捨着用可能吸収性物品２０１は、多層内に分離された成形弾性体及び固定弾性体を備える弾性体の第２の実施形態を有するため、これらの弾性体は、互いにある程度独立して働くことができ、物品２０１は、快適さを感じ、魅力的に見え、着用されている間、十分に機能することができる。特定の実施形態では、固定弾性体は、締結具が物品の前方と後方との間で画定される接続部を提供することによって一方の腰部領域内の固定弾性体を反対側の腰部領域内の固定弾性体と連結するように、締結具と一直線に配置され得る。
【００６１】
図３Ａは、多層内に弾性体の第３の実施形態を含む、ベルト型使捨着用可能吸収性物品３００の平面図を示す。図３Ａは、ベルト型使捨着用可能吸収性物品３００の平面図を示す。図３Ａの図は、物品３００の内側（着用者に面する側）を示す。
【００６２】
図３Ａでは、長手方向中心線３１３及び横方向中心線３１７が、物品３００の部分の相対位置を参照するための基準線を提供する。図３Ａは、物品３００に関し、横方向内側寄り３１２、横方向外側寄り３１４、長手方向内側寄り３１６、及び長手方向外側寄り３１８の相対方向を示す矢印を含んでいる。
【００６３】
物品３００は、前方３２４及び後方３２６を含む。物品３００は、ベルト３６０及びセンターシャーシ３２０を含む。前方ベルト部分３６１及び後方ベルト部分３６９は、ベルト３６０を形成する。物品３００は、前方ベルト部分３６１からセンターシャーシ３２０を通って後方ベルト部分３６９まで延びる吸収性コア３２７を含む。センターシャーシ３２０は、吸収性コア３２７の内側にあるトップシート３０６と、吸収性コア３２７の外側にあるバックシート３０７とを含む。
【００６４】
前方３２４は、前方腰部端縁３０９に隣接し、物品の長手方向全長の３分の１〜４分の１である、前方腰部領域を有する前方ベルト部分３６１を含む。後方３２６は、後方腰部端縁３０４に隣接し、物品の長手方向全長の３分の１〜４分の１である、後方腰部領域を有する後方ベルト部分３６９を含む。センターシャーシ３２０は、前方腰部領域と後方腰部領域との間に配置された股部領域を含み、股部領域は横方向中心線３１７を含む。吸収性コア３２７は、前方３２４から後方３２６まで延在する。
【００６５】
前方ベルト部分３６１は、図３Ｂ及び３Ｃに示したように、前方内側ベルト部分３６２及び前方外側ベルト部分３６５を有する。前方内側ベルト部分３６２は、複数個３９５の前方成形弾性体３９８を含む。複数個３９５は、図６Ａの実施形態の複数個６９５と同じやり方で構成される。前方外側ベルト部分３６５は、固定弾性体３４１を有する固定システム３３０を含む。固定システム３３０の固定弾性体３４１は、弾性体が図１１Ｂの実施形態の前方ＣＡＭ  １１４１と同様にＣＡＭの形態で共に働く固定弾性体であることを除き、図６Ａの実施形態の複数個の成形弾性体６９５と同じやり方で構成される。共に、複数個３９５の前方成形弾性体３９８及び複数個の固定弾性体３４１は、多層内に弾性体の第３の実施形態を形成する。
【００６６】
図３Ａの実施形態では、後方ベルト部分３６９も弾性体を有する。後方ベルト部分３６９は、図５Ａの実施形態の複数個５９１と同じやり方で構成された複数個の前方成形弾性体と、弾性体が図１１Ｂの実施形態の前方ＣＡＭ  １１４１と同様にＣＡＭの形態で共に働く固定弾性体であることを除き、図５Ａの実施形態の複数個の成形弾性体５９１と同じやり方で構成された固定弾性体を有する固定システムと、を有する。共に、後方ベルト部分内の複数個の前方成形弾性体及び複数個の固定弾性体は、多層内に弾性体の実施形態を形成する。様々な実施形態では、後方ベルト部分３６９は、前方ベルト部分３６１と同じやり方で構成されてもよく、又は後方ベルト部分３６９は、異なるやり方で構成された弾性体を有してもよく、又は後方ベルト部分３６９は、弾性体なしで構成されてもよい。
【００６７】
図３Ａは、センターシャーシ上の横方向中心線に対して凸状の前方ベルト部分内の弾性体と、センターシャーシ上の横方向中心線に対して凹状の後方ベルト部分内の弾性体とを有する実施形態を示す。これらの弾性体が吸収性物品に共に組み込まれるとき、このような吸収性物品は（着用者に着けられると）、持続的な動的フィット性を有し、排泄物の収容及び着用者の快適さ／可動性を改善する。弾性体は、ユーザーの腰の後ろから腹部のしわでへその下へ延びて腰の後ろに戻る、固定連続体を形成する。したがって、この弾性連続体は、解剖学の最小周囲に従い、最大レベルの固定を提供する。
【００６８】
図３Ｂは、第１の断面線で得られた、図３Ａの物品３００の前方ベルト部分３６１の分解組立断面側面図を示す。図３Ｂは、内側方向３１１及び外側方向３１９を含む。
【００６９】
前方内側ベルト部分３６２は、内側ベルト層３６３、複数個３９５の前方成形弾性体３９８、及び外側ベルト層３６４を含む。内側ベルト層３６３は、最も内側の層である。複数個３９５の前方成形弾性体３９８は、内側ベルト層３６３の外側３１９にある。外側ベルト層３６４は、複数個の成形弾性体３９８の外側３１９にある。様々な実施形態では、複数個３９５の前方成形弾性体３９８は、内側ベルト層３６３及び外側ベルト層３６４の一方又は両方に接合され得る。
【００７０】
内側ベルト層３６３及び／又は外側ベルト層３６４は、不織布、フィルム、不織布及びフィルムを含む積層体、又は材料の層を形成するのに好適な任意の他の種類の材料であってもよい。様々な代替実施形態では、内側ベルト層３６３又は外側ベルト層３６４は、削除されてもよい。様々な代替実施形態では、前方内側ベルト部分３６２は、１つ以上の追加の材料又は層も含み得る。
【００７１】
前方外側ベルト部分３６５は、内側ベルト層３６６、複数個の固定弾性体３４１から形成される固定システム３３０、及び外側ベルト層３６７を含む。複数個の固定弾性体３４１は、内側ベルト層３６６の外側３１９にある。外側ベルト層３６７は、複数個の固定弾性体３４１の外側３１９にある。外側ベルト層３６７は、最も外側の層である。様々な実施形態では、複数個の固定弾性体３４１は、内側ベルト層３６６及び外側ベルト層３６７の一方又は両方に接合され得る。
【００７２】
内側ベルト層３６６及び／又は外側ベルト層３６７は、不織布、フィルム、不織布及びフィルムを含む積層体、又は材料の層を形成するのに好適な任意の他の種類の材料であってもよい。様々な代替実施形態では、内側ベルト層３６６又は外側ベルト層３６７は、削除されてもよい。様々な代替実施形態では、前方外側ベルト部分３６５は、１つ以上の追加の材料又は層も含み得る。
【００７３】
成形弾性体３９８及び固定弾性体３４１は、多層内に分離されている。成形弾性体は固定弾性体から分離されているため、それらは互いにある程度独立して働くことができる。成形弾性体は、順応するフィット性を提供し、着用者の皮膚全体に接触力を分散するのに少なくとも役立ち得るのに対し、固定弾性体は、物品を着用者上の適所に保持するのに少なくとも役立ち得る。その結果、ベルト型使捨着用可能吸収性物品３００の実施形態は、快適さを感じ、魅力的に見え、着用されている間、十分に機能することができる。
【００７４】
図３Ｂの実施形態では、センターシャーシ３２０は、前方内側ベルト部分３６２の外側３１９にあり、前方外側ベルト部分３６５は、センターシャーシの外側３１９にある。ただし、代替実施形態では、前方外側ベルト部分３６５は、前方内側ベルト部分３６２の外側３１９かつセンターシャーシ３２０の内側３１１に配置されてもよい。別の代替実施形態では、前方内側ベルト部分３６２は、センターシャーシ３２０の外側３１９かつ前方外側ベルト部分３６５の内側に配置されてもよい。これらの代替実施形態では、外側ベルト層３６４は、内側ベルト層３６６に接合されてもよく、又はこれら２つの層の材料は、更には単一層の材料に置き換えられてもよい。
【００７５】
図３Ｃは、第２の断面線で得られた、図３Ａの物品３００の前方ベルト部分３６１の分解組立断面図を示す。
【００７６】
図３Ｄは、多層内に弾性体の第３の実施形態を含む、パンツ型使捨着用可能吸収性物品３０２の平面図を示す。図３Ｄのパンツ型物品３０２での弾性体の第３の実施形態は、シャーシの種類の違いを除き、図３Ａのベルト型物品３００での弾性体の第３の実施形態と同じやり方で構成される。物品３０２は、パンツ型シャーシ３２２を含む。パンツ型使捨着用可能吸収性物品３０２は、多層内に分離された成形弾性体及び固定弾性体を備える弾性体の第３の実施形態を有するため、これらの弾性体は、互いにある程度独立して働くことができ、物品３０２は、快適さを感じ、魅力的に見え、着用されている間、十分に機能することができる。
【００７７】
図３Ｅは、多層内に弾性体の第３の実施形態を含む、前／横締結式使捨着用可能吸収性物品３０１の平面図を示す。図３Ｅの前／横締結式物品３０１での弾性体の第３の実施形態は、シャーシの種類の違いを除き、図３Ａのベルト型物品３００での弾性体の第３の実施形態と同じやり方で構成される。前／横締結式使捨着用可能吸収性物品３０１は、多層内に分離された成形弾性体及び固定弾性体を備える弾性体の第３の実施形態を有するため、これらの弾性体は、互いにある程度独立して働くことができ、物品３０１は、快適さを感じ、魅力的に見え、着用されている間、十分に機能することができる。
【００７８】
図４Ａ〜８Ｂの実施形態は、使捨着用可能吸収性物品に使用するための様々な複数個の成形弾性体について記載する。これらの複数個は、様々なやり方で構成され得る。成形弾性体は、例えば、Ｌｙｃｒａ、ゴム、スパンデックス、スチレン−エチルブチレン−スチレン、スチレン−エチレン−プロピレン−スチレン、スチレン−エチレン−エチレン−プロピレン−スチレン、スチレン−ブダジエン−スチレン、スチレン−イソプレン−スチレン、ポリオレフィンエラストマー、エラストマーポリウレタン、ゴム、同様な材料、当該技術分野において既知の他の弾性材料、及びこれらの組み合わせなど、様々な材料から形成されてもよい。いくつかの実施形態では、成形弾性体は、任意の数のストランド（又はフィラメント）を有する押出ストランド弾性体であってもよい。成形弾性体は、５０〜５００の範囲のデシテックス、又はこの範囲におけるいずれかのデシテックスの値に関するいずれかの整数の値、又はこれらの整数の値のいずれかによって形成されるいずれかの範囲を有し得る。図４Ａ〜８Ｂでは、分かりやすくするために、使捨着用可能吸収性物品の一部の下にある部分は、弾性体を見えにくくしないように隠線で示していない。
【００７９】
図４Ａ〜８Ｂでは、図を簡単にするために、それぞれの複数個の成形弾性体を弾性体の代表的な数で示している。ただし、これらの複数個のそれぞれは、任意の数の弾性体を含むことができる。様々な代替実施形態では、これらの成形弾性体のいずれも本明細書に記載の任意のやり方で構成され得る。図４Ａ〜８Ｂの複数個の成形弾性体のそれぞれは、順応するフィット性を提供し、着用者の皮膚全体に接触力を分散するために、使捨着用可能吸収性物品内に構成され得る。
【００８０】
図９Ａ〜１１Ｂの実施形態は、使捨着用可能吸収性物品に使用するための様々な固定システムについて記載する。これらの固定システムは、本明細書に記載されるように、１つ以上の周囲固定部材（ＣＡＭ）、固定バンド、負荷分配要素（ＬＤＥ）、スパイン、及び／又は他の固定経路を用いて、様々なやり方で構成され得る。図９Ａ〜１１Ｂでは、分かりやすくするために、使捨着用可能吸収性物品の一部の部分を透明であるように示し、さもなければ上にある材料で隠される恐れがある構造及び特徴を示している。
【００８１】
前／横締結式使捨着用可能吸収性物品を表すように構成されたときの図４Ａ、５Ａ、６Ａ、７Ａ、８Ａ、９Ａ、１０Ａ、及び１１Ａの物品のいずれか１つ以上の前方（任意の代替実施形態を含む）は、前／横締結式使捨着用可能吸収性物品を表すように構成されたときの図４Ａ、５Ａ、６Ａ、７Ａ、８Ａ、９Ａ、１０Ａ、及び１１Ａの物品のいずれか１つ以上の後方（任意の代替実施形態を含む）と組み合わされ得る。このような組み合わせでは、得られた物品は、前方、後方、又はその両方で多層内に弾性体を有することができる。前／横締結式使捨着用可能吸収性物品に関して、本明細書に開示される任意の前方は、本明細書に開示される又は当該技術分野において既知の任意の後方（弾性体のない任意の後方を含む）と組み合わせて、更なる代替実施形態を形成してもよい。
【００８２】
前／横締結式使捨着用可能吸収性物品を表すように構成されたときの図４Ａ、５Ａ、６Ａ、７Ａ、８Ａ、９Ａ、１０Ａ、及び１１Ａの物品のいずれか１つ以上の後方（任意の代替実施形態を含む）は、前／横締結式使捨着用可能吸収性物品を表すように構成されたときの図４Ａ、５Ａ、６Ａ、７Ａ、８Ａ、９Ａ、１０Ａ、及び１１Ａの物品のいずれか１つ以上の前方（任意の代替実施形態を含む）と組み合わされ得る。このような組み合わせでは、得られた物品は、後方、前方、又はその両方で多層内に弾性体を有することができる。前／横締結式使捨着用可能吸収性物品に関して、本明細書に開示される任意の後方は、本明細書に開示される又は当該技術分野において既知の任意の前方（弾性体のない任意の前方を含む）と組み合わせて、更なる代替実施形態を形成してもよい。様々な代替実施形態では、本明細書に開示される任意の前／横締結式使捨着用可能吸収性物品は、本明細書に開示される又は当該技術分野において既知の任意のやり方で構成されたベルト型物品になるように変更されてもよい。
【００８３】
パンツ型使捨着用可能吸収性物品を表すように構成されたときの図４Ｂ、５Ｂ、６Ｂ、７Ｂ、８Ｂ、９Ｂ、１０Ｂ、及び１１Ｂの物品のいずれか１つ以上の前方（任意の代替実施形態を含む）は、パンツ型使捨着用可能吸収性物品を表すように構成されたときの図４Ｂ、５Ｂ、６Ｂ、７Ｂ、８Ｂ、９Ｂ、１０Ｂ、及び１１Ｂの物品のいずれか１つ以上の後方（任意の代替実施形態を含む）と組み合わされ得る。このような組み合わせでは、得られた物品は、前方、後方、又はその両方で多層内に弾性体を有することができる。パンツ型使捨着用可能吸収性物品に関して、本明細書に開示される任意の前方は、本明細書に開示される又は当該技術分野において既知の任意の後方（弾性体のない任意の後方を含む）と組み合わせて、更なる代替実施形態を形成してもよい。
【００８４】
パンツ型使捨着用可能吸収性物品を表すように構成されたときの図４Ｂ、５Ｂ、６Ｂ、７Ｂ、８Ｂ、９Ｂ、１０Ｂ、及び１１Ｂの物品のいずれか１つ以上の後方（任意の代替実施形態を含む）は、パンツ型使捨着用可能吸収性物品を表すように構成されたときの図４Ｂ、５Ｂ、６Ｂ、７Ｂ、８Ｂ、９Ｂ、１０Ｂ、及び１１Ｂの物品のいずれか１つ以上の前方（任意の代替実施形態を含む）と組み合わされ得る。このような組み合わせでは、得られた物品は、後方、前方、又はその両方で多層内に弾性体を有することができる。パンツ型使捨着用可能吸収性物品に関して、本明細書に開示される任意の後方は、本明細書に開示される又は当該技術分野において既知の任意の前方（弾性体のない任意の前方を含む）と組み合わせて、更なる代替実施形態を形成してもよい。様々な代替実施形態では、本明細書に開示される任意のパンツ型使捨着用可能吸収性物品は、本明細書に開示される又は当該技術分野において既知の任意のやり方で構成されたベルト型物品になるように変更されてもよい。
【００８５】
図４Ａは、成形弾性体４９０、４９５を含む、前／横締結式使捨着用可能吸収性物品４０１の平面図を示す。図４Ａの実施形態の一般的な要素のそれぞれは、図１Ａの実施形態の同様の番号の要素と同じやり方で構成される。図４Ａの図は、物品４０１及びシャーシ４２１の内側（着用者に面する側）を示す。
【００８６】
物品４０１では、複数個４９５の前方成形弾性体４９７が前方４２３に配置される。図４Ａの実施形態では、前方成形弾性体４９７のそれぞれは、真っ直ぐかつ前方腰部端縁４０９と平行であり、物品４０１のシャーシを横切って延在する。前方成形弾性体４９７は、互いに平行であり、互いから離間している。物品４０１では、複数個４９０の後方成形弾性体４９２が後方４２５に配置される。図４Ａの実施形態では、後方成形弾性体４９２のそれぞれは、真っ直ぐかつ後方腰部端縁４０４と平行であり、物品４０１のシャーシを横切って延在する。後方成形弾性体４９２は、互いに平行であり、互いから離間している。
【００８７】
図４Ｂは、複数個の成形弾性体４９０、４９５を含む、パンツ型使捨着用可能吸収性物品４０２の平面図を示す。図４Ｂの実施形態の一般的な要素のそれぞれは、図１Ｄの実施形態の同様の番号の要素と同じやり方で構成され、複数個の成形弾性体４９０、４９５は、シャーシの種類の違いを除き、図４Ａの実施形態の同様の番号の要素と同じやり方で構成される。代替実施形態では、パンツ型使捨着用可能吸収性物品４０２は、図１Ａの実施形態と同じやり方で構成されたシャーシを有するベルト型パンツになるように変更されてもよい。
【００８８】
図５Ａは、複数個の成形弾性体５９０、５９５を含む、前締結式使捨着用可能吸収性物品５０１の平面図を示す。図５Ａの実施形態の一般的な要素のそれぞれは、図１Ａの実施形態の同様の番号の要素と同じやり方で構成される。図５Ａの図は、物品５０１及びシャーシ５２１の内側（着用者に面する側）を示す。
【００８９】
物品５０１では、複数個５９５の前方成形弾性体５９６が前方５２３に配置される。図５Ａの実施形態では、前方成形弾性体５９６のそれぞれは、前方腰部端縁５０９に対して全体的な凸状を有して湾曲しており、物品５０１のシャーシ５２１を実質的に横切って延在する。前方及び後方腰部領域のいずれか一方又は両方での内側及び外側ベルト部分の一方又は両方の腰部端縁は、横方向中心線に対して凸状又は横方向中心線に対して凹状のいずれかに湾曲していてもよい。このような実施形態では、１つ以上の弾性体は、対応するベルト部分の腰部端縁に沿って延在するように湾曲していてもよい。更に、内側又は外側ベルト部分の長手方向対向端縁は、横方向中心線に対して凸状又は横方向中心線に対して凹状のいずれかに湾曲していてもよい。また、腰部端縁に対する長手方向対向端縁に隣接する１つ以上の弾性体は、長手方向対向端縁に沿って延在するように湾曲していてもよい。
【００９０】
前方成形弾性体５９６は、実質的に同心であり、互いから離間していてもよい。物品５０１では、複数個５９０の後方成形弾性体５９１が後方５２５に配置される。図５Ａの実施形態では、後方成形弾性体５９１のそれぞれは、後方腰部端縁５０４に対して全体的な凸状を有して湾曲しており、物品５０１のシャーシ５２１を実質的に横切って延在する。後方成形弾性体５９１は、実質的に同心であり、互いから離間していてもよい。
【００９１】
図５Ｂは、複数個の成形弾性体５９０、５９５を含む、パンツ型使捨着用可能吸収性物品５０２の平面図を示す。図５Ｂの実施形態の一般的な要素のそれぞれは、図１Ｄの実施形態の同様の番号の要素と同じやり方で構成され、複数個の成形弾性体５９０、５９５は、シャーシの種類の違いを除き、図５Ａの実施形態の同様の番号の要素と同じやり方で構成される。代替実施形態では、パンツ型使捨着用可能吸収性物品５０２は、図１Ａの実施形態と同じやり方で構成されたシャーシを有するベルト型パンツになるように変更されてもよい。
【００９２】
図６Ａは、複数個の成形弾性体６９０、６９５を含む、前締結式使捨着用可能吸収性物品６０１の平面図を示す。図６Ａの実施形態の一般的な要素のそれぞれは、図１Ａの実施形態の同様の番号の要素と同じやり方で構成される。図６Ａの図は、物品６０１及びシャーシ６２１の内側（着用者に面する側）を示す。
【００９３】
物品６０１では、複数個６９５の前方成形弾性体６９８が前方６２３に配置される。図６Ａの実施形態では、前方成形弾性体６９８のそれぞれは、前方腰部端縁６０９に対して全体的な凹状を有して湾曲しており、物品６０１のシャーシ６２１を実質的に横切って延在する。前方成形弾性体６９８は、実質的に同心であり、互いから離間していてもよい。物品６０１では、複数個６９０の後方成形弾性体６９３が後方６２５に配置される。図６Ａの実施形態では、後方成形弾性体６９３のそれぞれは、後方腰部端縁６０４に対して全体的な凹状を有して湾曲しており、物品６０１のシャーシ６２１を実質的に横切って延在する。後方成形弾性体６９３は、実質的に同心であり、互いから離間していてもよい。
【００９４】
図６Ｂは、複数個の成形弾性体６９０、６９５を含む、パンツ型使捨着用可能吸収性物品６０２の平面図を示す。図６Ｂの実施形態の一般的な要素のそれぞれは、図１Ｄの実施形態の同様の番号の要素と同じやり方で構成され、複数個の成形弾性体６９０、６９５は、シャーシの種類の違いを除き、図６Ａの実施形態の同様の番号の要素と同じやり方で構成される。代替実施形態では、パンツ型使捨着用可能吸収性物品６０２は、図１Ａの実施形態と同じやり方で構成されたシャーシを有するベルト型パンツになるように変更されてもよい。
【００９５】
図７Ａは、複数個の成形弾性体７９０、７９５を含む、前／横締結式使捨着用可能吸収性物品７０１の平面図を示す。図７Ａの実施形態の一般的な要素のそれぞれは、図１Ａの実施形態の同様の番号の要素と同じやり方で構成される。図７Ａの図は、物品７０１及びシャーシ７２１の内側（着用者に面する側）を示す。
【００９６】
物品７０１では、複数個７９５の前方成形弾性体７９６、７９７、及び７９８が前方７２３に配置される。前方成形弾性体７９６は、前方成形弾性体７９７から長手方向外側寄り７１８にあり、前方成形弾性体７９７は、前方成形弾性体７９８から長手方向外側寄り７１８にある。図７Ａの実施形態では、前方成形弾性体７９６のそれぞれは、前方腰部端縁７０９に対して全体的な凸状を有して湾曲しており、物品７０１のシャーシ７２１を実質的に横切って延在し、前方成形弾性体７９７のそれぞれは、真っ直ぐかつ前方腰部端縁７０９と実質的に平行であり、物品７０１のシャーシ７２１を横切って延在し、前方成形弾性体７９８のそれぞれは、前方腰部端縁７０９に対して全体的な凹状を有して湾曲しており、物品７０１のシャーシ７２１を実質的に横切って延在する。前方成形弾性体７９６は、実質的に同心であり、互いから離間していてもよい。前方成形弾性体７９８も、実質的に同心であり、互いから離間していてもよい。
【００９７】
物品７０１では、複数個７９０の後方成形弾性体７９１、７９２、及び７９３が後方７２５に配置される。後方成形弾性体７９１は、後方成形弾性体７９２から長手方向外側寄り７１８にあり、後方成形弾性体７９２は、後方成形弾性体７９３から長手方向外側寄り７１８にある。図７Ａの実施形態では、後方成形弾性体７９１のそれぞれは、後方腰部端縁７０４に対して全体的な凸状を有して湾曲しており、物品７０１のシャーシ７２１を実質的に横切って延在し、後方成形弾性体７９２のそれぞれは、真っ直ぐかつ後方腰部端縁７０４と実質的に平行であり、物品７０１のシャーシ７２１を横切って延在し、後方成形弾性体７９３のそれぞれは、後方腰部端縁７０９に対して全体的な凹状を有して湾曲しており、物品７０１のシャーシ７２１を実質的に横切って延在する。後方成形弾性体７９１は、実質的に同心であり、互いから離間していてもよい。後方成形弾性体７９３も、実質的に同心であり、互いから離間していてもよい。
【００９８】
図７Ｂは、複数個の成形弾性体７９０、７９５を含む、パンツ型使捨着用可能吸収性物品７０２の平面図を示す。図７Ｂの実施形態の一般的な要素のそれぞれは、図１Ｄの実施形態の同様の番号の要素と同じやり方で構成され、複数個の成形弾性体７９０、７９５は、シャーシの種類の違いを除き、図７Ａの実施形態の同様の番号の要素と同じやり方で構成される。代替実施形態では、パンツ型使捨着用可能吸収性物品７０２は、図１Ａの実施形態と同じやり方で構成されたシャーシを有するベルト型パンツになるように変更されてもよい。
【００９９】
図８Ａは、成形弾性体８９０、８９５を含む、前／横締結式使捨着用可能吸収性物品８０１の平面図を示す。図８Ａの実施形態の一般的な要素のそれぞれは、図１Ａの実施形態の同様の番号の要素と同じやり方で構成される。図８Ａの図は、物品８０１及びシャーシ８２１の内側（着用者に面する側）を示す。
【０１００】
物品８０１では、複数個８９５の前方成形弾性体８９６、８９７、及び８９８が前方８２３に配置される。前方成形弾性体８９８は、前方成形弾性体８９７から長手方向外側寄り８１８にあり、前方成形弾性体８９７は、前方成形弾性体８９６から長手方向外側寄り８１８にある。図８Ａの実施形態では、前方成形弾性体８９６のそれぞれは、前方腰部端縁８０９に対して全体的な凸状を有して湾曲しており、物品８０１のシャーシ８２１を実質的に横切って延在し、前方成形弾性体８９７のそれぞれは、真っ直ぐかつ前方腰部端縁８０９と実質的に平行であり、物品８０１のシャーシ８２１を横切って延在し、前方成形弾性体８９８のそれぞれは、前方腰部端縁８０９に対して全体的な凹状を有して湾曲しており、物品８０１のシャーシ８２１を実質的に横切って延在する。前方成形弾性体８９６は、実質的に同心であり、互いから離間していてもよい。前方成形弾性体８９８は、実質的に同心であり、互いから離間していてもよい。
【０１０１】
物品８０１では、複数個８９０の後方成形弾性体８９１、８９２、及び８９３が後方８２５に配置される。後方成形弾性体８９３は、後方成形弾性体８９２から長手方向外側寄り８１８にあり、後方成形弾性体８９２は、後方成形弾性体８９１から長手方向外側寄り８１８にある。図８Ａの実施形態では、後方成形弾性体８９１のそれぞれは、後方腰部端縁８０４に対して全体的な凸状を有して湾曲しており、物品８０１のシャーシ８２１を実質的に横切って延在し、後方成形弾性体８９２のそれぞれは、真っ直ぐかつ後方腰部端縁８０９と実質的に平行であり、物品８０１のシャーシ８２１を横切って延在し、後方成形弾性体８９３のそれぞれは、後方腰部端縁８０４に対して全体的な凹状を有して湾曲しており、物品８０１のシャーシ８２１を実質的に横切って延在する。後方成形弾性体８９１は、実質的に同心であり、互いから離間していてもよい。後方成形弾性体８９３は、実質的に同心であり、互いから離間していてもよい。
【０１０２】
図８Ｂは、複数個の成形弾性体８９０、８９５を含む、パンツ型使捨着用可能吸収性物品８０２の平面図を示す。図８Ｂの実施形態の一般的な要素のそれぞれは、図１Ｄの実施形態の同様の番号の要素と同じやり方で構成され、複数個の成形弾性体８９０、８９５は、シャーシの種類の違いを除き、図８Ａの実施形態の同様の番号の要素と同じやり方で構成される。代替実施形態では、パンツ型使捨着用可能吸収性物品８０２は、図１Ａの実施形態と同じやり方で構成されたシャーシを有するベルト型パンツになるように変更されてもよい。
【０１０３】
図９Ａ〜１１Ｂの実施形態は、使捨着用可能吸収性物品に使用するための様々な固定システムについて記載する。これらの固定システムは、本明細書に記載されるように、１つ以上のＣＡＭ、固定バンド、ＬＤＥ、スパイン、及び／又は他の固定経路を用いて、様々なやり方で構成され得る。図９Ａ〜１１Ｂでは、分かりやすくするために、使捨着用可能吸収性物品の一部の部分を透明であるように示し、さもなければ上にある材料が隠す恐れがある構造及び特徴を示している。
【０１０４】
固定に関して、本開示は以下の技術用語を使用する。
【０１０５】
用語「固定システム」は、１つ以上の固定経路を指し、固定システムは、本明細書に記載されるように、使捨着用可能吸収性物品を着用者の体上の適所に保持するのに少なくとも役立ち得る。用語「固定経路」は、本明細書に記載されるように、吸収性コアを含むシャーシの部分から物品の着用者の体上の固定場所へ負荷を伝達する、張力移送経路として構成される、１つ以上の固定要素を指す。
【０１０６】
用語「固定要素」は、固定システムの部分を形成する、１つ以上の個別に識別可能な構造要素を指す。いくつかの固定要素は、本明細書に記載されるように、使捨着用可能吸収性物品から負荷を集めるように構成され得る。例えば、固定要素は、吸収性コア及び／又は吸収性アセンブリに接合されてもよい。いくつかの固定要素は、本明細書に記載されるように、固定システムで負荷を伝達するように構成され得る。例えば、固定要素は、固定経路に沿って張力を移送するように構成され得る。固定弾性体は、固定要素であり得る。いくつかの固定要素は、本明細書に記載されるように、１つ以上の固定場所で着用者の体との接触を介して保持力を提供するように構成され得る。用語「固定場所」は、本明細書に記載されるように、固定経路から伝達された負荷を支持できる、着用者の体上の場所を指す。
【０１０７】
用語「固定される」は、使捨着用可能吸収性物品を着用者の体上の適所に保持するために固定システムを使用することを指す。使捨着用可能吸収性物品を着用者の体の一部に固定するとき、固定システムは、着用者が物品を着用している間、物品と体のその部分との間の相対運動を少なくとも低減及び／又は防止するように構成される。固定システムを有する使捨着用可能吸収性物品は、着用者の体の部分上の１つ以上の様々な固定場所を直接及び／又は間接的に（例えば、別の層の材料を介して）覆う及び／又はそれらと接触するように構成された固定システムの１つ以上の固定要素を用いて、着用者の体に固定され得る。
【０１０８】
比較的小さな曲率半径を有する体の部分は、固定要素がこのような部分をよりしっかり包み込む傾向を有し得るため、いくつかの実施形態では、比較的大きな摩擦力をもたらす固定場所として働く。これは、湾曲した表面の周囲に巻かれ、張力下に置かれる可撓性材料の物理特性による。こうした場合、引張力が可撓性材料を張力下に置くため、可撓性材料は、曲面と垂直であり、曲面上で内側に向う垂直力を生じる。基本的なキャプスタン（capstan）の公式により、垂直力は曲面の半径で除した引張力に比例する。したがって、所定の引張力では、半径が小さくなるに従って、垂直力は大きくなる。
【０１０９】
また、例として、固定システムは、１つ以上の固定要素を体から突出する１つ以上の固定場所、その周り、及び／又はその上に固定することにより少なくとも部分的に固定されることができ、それにより摩擦及び／又は反作用の力をもたらす。いくつかの実施形態では、固定要素は比較的大きい水平方向の突出した部分を有する体の部分又はその上に、よりしっかりと架かる及び／又は乗る傾向を有することができる（すなわち、負荷を支持することが可能な体からの反作用力には上向きの構成要素がある）ので、比較的大きい水平方向の突出した部分は、より大きい反作用力をもたらすことができる。
【０１１０】
固定経路は、様々な形態で構成されることができる。固定経路は、固定システムの張力を運ぶのに好適な任意の材料から作製され得る。固定経路の一部若しくはいくつかの部分又は実質的に全て若しくは全ては、種々の好適な材料から作製された１つ以上の固定要素（複数個の固定弾性体など）を含むことができる。固定経路は、単一の連続的経路であってもよく、又は経路に沿って（直列又は並列に）配置された任意の数の固定要素で形成されてもよい。固定経路（及びその固定要素）の一部若しくはいくつかの部分又は実質的に全て若しくは全ては、直線形、曲線形、角形、分割形、又は他の形、又はこれらの形の任意の組み合わせであることができる。いくつかの実施形態では、固定経路は、ベルト、シーム、及び／又は締結具などの、１つ以上の接続要素を含み得る。
【０１１１】
固定要素は、任意の好適な寸法、形状、及び構成からなることができる。固定要素の寸法及び／又は形状は、固定要素の１つ以上の部分にかけて又は固定要素の全長にかけて実質的に均一又は完全に均一であってもよく、固定要素の長さにかけて変化してもよい。
【０１１２】
様々な実施形態では、固定弾性体を固定要素として使用することができる。固定弾性体は、成形弾性体に関して本明細書に記載された材料などの、様々な材料から形成され得る。固定弾性体は、２５０〜２５００の範囲のデシテックス、又はこの範囲におけるいずれかのデシテックスの値に関するいずれかの整数の値、又はこれらの整数の値のいずれかによって形成されるいずれかの範囲を有し得る。
【０１１３】
任意の固定要素の一部若しくはいくつかの部分又は実質的に全て若しくは全ては、使捨着用可能吸収性物品の１つ以上の他の要素（外側カバー及び／又は腰部カバー及び／又は吸収性コアなど）と、分離していること、及び／又は構造上関連付けること、及び／又は接合すること、及び／又は取り付けること、及び／又は耐久的に取り付けること、及び／又は再締結可能に取り付けること、及び／又は埋め込むこと、及び／又は一体化することができる。本明細書で使用するとき、用語「接合される」は、要素が別の要素に直接に固定される構成、及び要素が１つ以上の中間部材に接続され、その中間部材が別の要素に接続されることによって要素が別の要素に間接的に固定される構成を指す。
【０１１４】
固定経路が１つ以上の他の要素に埋め込まれた又は一体化した１つ以上の固定要素によって形成されるとき、固定経路は、その構造内で別個の識別可能な固定経路を形成する。例えば、外側カバーと一体化した固定要素が固定経路を形成するとき、固定要素は、経路を取り囲む外側カバーの領域より実質的に高い弾性係数を有する固定経路を形成し得る。
【０１１５】
使捨着用可能吸収性物品内で表面上に配置された固定経路は、固定システムを含む使捨着用可能吸収性物品の着用者の体の外側表面上に画定される解剖学的経路とそろうように意図される。解剖学的表面の形状は、固定経路の形状に影響を及ぼし得る。固定経路の形状は、今度は固定要素の構成に影響を及ぼし得る。
【０１１６】
固定経路の１つの種類は、固定バンドである。固定バンドは、引張力を一方の末端部から他方に伝達し、そのような張力を固定システムに保持する十分な力を有するように構成され得る。様々な実施形態において、固定バンドは、着用者の体の胴体下部、例えば物品の後方を、少なくとも部分的に取り囲むことができる。
【０１１７】
別の種類の固定経路は、負荷分配要素（ＬＤＥ）である。ＬＤＥは、使捨着用可能吸収性物品の固定システムで負荷を伝達する固定経路の一種である。ＬＤＥは、吸収性コアなどの使捨着用可能吸収性物品の１つ以上の他の要素に接合されることにより少なくともいくらかの収集された負荷を受容することができる。また、ＬＤＥは、このような負荷を１つ以上の固定場所又は固定経路（例えば、周囲固定部材（ＣＡＭ）又は固定バンド）に伝達することができる。様々な実施形態では、ＬＤＥは、負荷の一部若しくはいくらかの部分又は実質的に全て若しくは全てを吸収性コアの吸収性アセンブリから使捨着用可能吸収性物品の他の部分（例えば、吸収性物品のベルト又はサイドパネル、腰部弾性体又は脚部弾性体）へ伝達するように構成され得る。
【０１１８】
更に別の種類の固定経路はスパインである。スパインは、使捨着用可能吸収性物品の固定システムで吸収性コア内の負荷を支持するのに役立つ、固定バンドの一種である。スパインは、実質的に横方向又は完全に横方向に配向されるか、実質的に縦方向又は完全に縦方向に配向される。スパインの大部分は、使捨着用可能吸収性物品の吸収性コア又は吸収性アセンブリの区域を貫通する。いくつかの実施形態では、スパインの実質的に全て若しくは全ては、吸収性コアの一区域内に収容される。
【０１１９】
ＣＡＭは、使捨着用可能吸収性物品内の曲面又は着用者の体上の曲面に概ね従う、別の種類の固定経路である。ＣＡＭは、着用者の体の下部胴体を少なくとも部分的に取り囲む。いくつかの実施形態では、ＣＡＭは、着用者の体の下部胴体を実質的に又は完全に取り囲むことができる。着用者が物品を着用している間、ＣＡＭは湾曲した経路に従うことができるが、物品を平らに広げたとき、ＣＡＭは実質的に又は完全に線形であってもよい。
【０１２０】
更に、本明細書に開示される固定システムの部分は、同じ弾性体から形成されてもよい。例えば、ＣＡＭ及びＬＤＥの部分は、同じ弾性体から形成されてもよい。換言すれば、弾性体は、腰部に沿って端縁から長手方向中心線に向けて内側に供給され、次に横方向中心線に向けて内側に方向転換されてＬＤＥの一方を形成し、その後、腰部端縁に向けて外側に方向転換され、再度、ベルトの側端縁に向けて方向転換され得る。
【０１２１】
図９Ａ〜１１Ｂでは、図を簡単にするために、固定経路のそれぞれを単一構造体として示す。ただし、これらの固定経路のそれぞれは、固定弾性体である複数個の固定要素によって形成されてもよい。様々な代替実施形態では、これらの固定経路のいずれも本明細書に記載の任意のやり方で構成され得る。図９Ａ〜１１Ｂのこれらの固定システムのそれぞれは、吸収性物品及び／又は吸収性コアを着用者に固定するように、使捨着用可能吸収性物品内に構成され得る。様々な実施形態では、これらの固定システムのそれぞれは、吸収性コア及び物品の着用者によって吸収性コアに導入された排出物由来の負荷の一部若しくはいくらかの部分又は実質的に全て若しくは全てを移送するように、使捨着用可能吸収性物品内に構成され得る。
【０１２２】
図９Ａは、固定システム９３０を含む、前／横締結式使捨着用可能吸収性物品９０１の平面図を示す。図９Ａの実施形態の一般的な要素のそれぞれは、図１Ｅの実施形態の同様の番号の要素と同じやり方で構成される。図９Ａの図は、物品９０１及びシャーシ９２１の内側（着用者に面する側）を示す。
【０１２３】
固定システム９３０は、後方９２５に配置された後方ＣＡＭ  ９３１と、後方９２５に配置された後方ＬＤＥ  ９３３と、前方９２３に配置された前方ＣＡＭ  ９４１と、前方９２３に配置された前方ＬＤＥ  ９４３と、スパイン９３５、９４５とを含む。スパイン９３５、９４５は、後方９２５に配置されたスパインの後方９３５と、前方９２３に配置されたスパインの前方９４５とを含む。ＬＤＥ  ９３３は、ＣＡＭ  ９３１の延長部分であってもよいことに留意すべきである。換言すれば、ＣＡＭ  ９３１の部分は、ＣＡＭ  ９３１からＬＤＥ  ９３３に沿って内側に方向転換され、次に反対側のＬＤＥ  ９３３に沿って外側に方向転換され、最後に製品の反対側でＣＡＭ  ９３１に沿って方向転換される、弾性支持要素を含み得る。
【０１２４】
後方ＣＡＭ  ９３１は、後方腰部端縁９０４に対して長手方向内側寄りに、かつそれからオフセットに配置される。後方ＣＡＭ  ９３１はまた、吸収性コア９２７の長手方向外側寄り後縁に対して長手方向内側寄りに、かつそれからオフセットに配置される。後方ＣＡＭ  ９３１は、１つの締結具９５４に接合され、その１つの締結具９５４から横方向に延び、後方９２５の第１の部分を横方向に貫通し、吸収性コア９２７の後方を真っ直ぐに横切ってその下でそれと接合され、後方９２５の第２の部分を横方向に貫通し、他方の締結具９５４まで横方向に延びて、その他方の締結具９５４に接合し得る。後方ＣＡＭ  ９３１は、本明細書に記載される任意のやり方で物品９０１内に構成され得る。後方ＣＡＭ  ９３１は、着用者が物品９０１を着用するとき、後方ＣＡＭ  ９３１が着用者を少なくとも部分的に取り囲むため、ＣＡＭとみなされる。
【０１２５】
第１の代替実施形態では、後方ＣＡＭ  ９３１の一部若しくはいくつかの部分又は実質的に全て若しくは全ては、吸収性コア９２７の長手方向外側寄り後端に近接して配置され得る。第２の代替実施形態では、後方ＣＡＭ  ９３１の一部若しくはいくつかの部分又は実質的に全て若しくは全ては、吸収性コア９２７の長手方向外側寄り後端から長手方向外側寄りに配置され得る。第３の代替実施形態では、後方ＣＡＭ  ９３１の一部若しくはいくつかの部分又は実質的に全て若しくは全ては、後方腰部端縁９０４に近接して配置され得る。第４の代替実施形態では、後方ＣＡＭ  ９３１の一部又はいくつかの部分は、側耳部の片方又は両方まで１つ以上の代替経路に従うことができる。第５の代替実施形態では、後方ＣＡＭ  ９３１の一部又はいくつかの部分は、本明細書に記載されているように、１つ以上の追加的な固定経路と接続することができる。第６の代替実施形態では、後方ＣＡＭ  ９３１は、締結具９５４の一方又は両方と接合しなくてもよい。第７の代替実施形態では、後方ＣＡＭ  ９３１の一部若しくはいくつかの部分又は実質的に全て若しくは全ては、吸収性コア９２７を貫通して延びるか又はその上に重なっていてもよい。第８の代替実施形態では、後方ＣＡＭ  ９３１の一部若しくはいくつかの部分又は実質的に全て若しくは全ては、吸収性コア９２７と接合されなくてもよい。これらの代替実施形態のいずれにおいても、後方ＣＡＭ  ９３１の一部若しくはいくつかの部分又は実質的に全て若しくは全ては、削除されてもよい。また、これらの代替実施形態のいずれにおいても、１つ以上の固定バンドを、後方ＣＡＭ  ９３１の一部若しくはいくつかの部分又は実質的に全て若しくは全て、又はその経路全体に沿って、使用することができる。更に、これらの代替実施形態のいずれをも、全体として又は部分的に組み合わせて、追加的な代替実施形態を創出することができる。
【０１２６】
後方ＬＤＥ  ９３３は２つあり、長手方向中心線９１３のそれぞれの側に１つずつある。長手方向中心線の右の後方ＬＤＥ  ９３３に関しては、後方ＬＤＥ  ９３３の一端はスパインの後方９３５に、横方向中心線９１７から長手方向にオフセットした場所で接続する。後方ＬＤＥ  ９３３の一部は、吸収性コア９２７の一部の下にあってもよく、その部分に接合されてもよい。後方ＬＤＥ  ９３３は、スパインの後方９３５から横方向及び長手方向に外側に向かって真っ直ぐ延び、後方ＣＡＭ  ９３１に接続する。第１の後方ＬＤＥ  ９３３は、物品９０１が着用者によって着用されているとき、第１の後方ＬＤＥ  ９３３が吸収性コア９２７から後方ＣＡＭ  ９３１へ負荷の少なくとも一部を伝達するように構成されるので、ＬＤＥとみなされる。左の後方ＬＤＥ  ９３３は、長手方向中心線９１３をはさんだ対称であるが、同じやり方で構成される。それぞれの後方ＬＤＥ  ９３３は、あらゆる代替実施形態を含む本明細書に記載されている任意のやり方で物品９０１内に構成され得る。
【０１２７】
第１の代替実施形態では、後方ＬＤＥ  ９３３は、横方向中心線９１７の場所又はそれと近接した場所でスパインの後方９３５と接続することができる。第２の代替実施形態では、後方ＬＤＥ  ９３３は、スパインの後方９３５と接続しなくてもよく、長手方向中心線９１３からオフセットした場所で、吸収性コア９２７の後方の区域内で終わることができる。第３の代替実施形態では、後方ＬＤＥ  ９３３は、長手方向中心線９１３の場所又はそれと近接した場所で後方ＣＡＭ  ９３１と接続することができる。第４の代替実施形態では、後方ＬＤＥ  ９３３は、締結具９５４に近接して後方ＣＡＭ  ９３１と接続することができる。第５の代替実施形態では、後方ＬＤＥ  ９３３の一部又はいくつかの部分は、１つ以上の代替経路に従うことができる。第６の代替実施形態では、後方ＬＤＥ  ９３３の一部又はいくつかの部分は、本明細書に記載されているように、１つ以上の追加的な固定経路と接続することができる。第７の代替実施形態では、後方ＬＤＥ  ９３３の一部若しくはいくつかの部分又は実質的に全て若しくは全ては、吸収性コア９２７を貫通して延びるか又はその上に重なっていてもよい。第８の代替実施形態では、後方ＣＡＭ  ９３３の一部若しくはいくつかの部分又は実質的に全て若しくは全ては、吸収性コア９２７と接合されなくてもよい。これらの代替実施形態のいずれにおいても、後方ＬＤＥ  ９３３の一方又は両方の、一部若しくはいくつかの部分又は実質的に全て若しくは全ては、削除されてもよい。また、これらの代替実施形態のいずれにおいても、１つ以上の固定バンドを、後方ＬＤＥ  ９３３の一部若しくはいくつかの部分又は実質的に全て若しくは全て、又はその経路全体に沿って、使用することができる。更に、これらの代替実施形態のいずれをも、全体として又は部分的に組み合わせて、追加的な代替実施形態を創出することができる。
【０１２８】
前方ＣＡＭ  ９４１は、シャーシ９２１の前方腰部端縁９０９に対して長手方向内側寄りに、かつそれからオフセットに配置される。前方ＣＡＭ  ９４１はまた、吸収性コア９２７の長手方向外側寄り前縁に対して長手方向内側寄りに、かつそれからオフセットに配置される。前方ＣＡＭ  ９４１は、１つの側部で始まり、シャーシ９２１の１つの長手方向側縁から横方向に延び、前方９２３の第１の部分を横方向に貫通し、吸収性コア９２７の前方を横切ってその下でそれと接合され、前方９２３の第２の部分を横方向に貫通し、シャーシ９２１の他の長手方向側縁で、他の側部において終わる。前方ＣＡＭ  ９４１は、本明細書に記載されている任意のやり方で物品９０１内に構成され得る。前方ＣＡＭ  ９４１は、着用者が物品９０１を着用するとき、前方ＣＡＭ  ９４１が着用者を少なくとも部分的に取り囲むため、ＣＡＭとみなされる。物品９０１が着用者に着用されているとき、前方ＣＡＭ  ９４１と後方ＣＡＭ  ９３１とは、共に着用者を完全に取り囲む単一のＣＡＭとみなすことができる。
【０１２９】
第１の代替実施形態では、前方ＣＡＭ  ９４１の一部若しくはいくつかの部分又は実質的に全て若しくは全ては、吸収性コア９２７の長手方向外側寄り前端に近接して配置され得る。第２の代替実施形態では、前方ＣＡＭ  ９４１の一部若しくはいくつかの部分又は実質的に全て若しくは全ては、吸収性コア９２７の長手方向外側寄り前端から長手方向外側寄りに配置され得る。第３の代替実施形態では、前方ＣＡＭ  ９４１の一部若しくはいくつかの部分又は実質的に全て若しくは全ては、前方腰部端縁９０９に近接して配置され得る。第４の代替実施形態では、前方ＣＡＭ  ９４１の一部又はいくつかの部分は、後方ＣＡＭ  ９３１に関して記載される実施形態と同様に、長手方向側部の一方又は両方に近接している１つ以上の代替経路に従うことができる。第５の代替実施形態では、前方ＣＡＭ  ９４１の一部又はいくつかの部分は、本明細書に記載されているように、１つ以上の追加的な固定経路と接続することができる。第６の代替実施形態では、前方ＣＡＭ  ９４１の一部若しくはいくつかの部分又は実質的に全て若しくは全ては、吸収性コア９２７を貫通して延びるか又はその上に重なっていてもよい。第７の代替実施形態では、前方ＣＡＭ  ９４１の一部若しくはいくつかの部分又は実質的に全て若しくは全ては、吸収性コア９２７と接合されなくてもよい。これらの代替実施形態のいずれにおいても、前方ＣＡＭ  ９４１の一部若しくはいくつかの部分又は実質的に全て若しくは全ては、削除されてもよい。また、これらの代替実施形態のいずれにおいても、１つ以上の固定バンドを、前方ＣＡＭ  ９４１の一部若しくはいくつかの部分又は実質的に全て若しくは全て、又はその経路全体に沿って、使用することができる。更に、これらの代替実施形態のいずれをも、全体として又は部分的に組み合わせて、追加的な代替実施形態を創出することができる。
【０１３０】
前方ＬＤＥ  ９４３は２つあり、長手方向中心線９１３のそれぞれの側に１つずつある。前方ＬＤＥ  ９４３は、横方向中心線９１７をはさんだ対称であるが、前締結式使捨着用可能吸収性物品の後方と前方との間の相違を除き、後方ＬＤＥ  ９３３と同じやり方で構成される。それぞれの前方ＬＤＥ  ９４３は、あらゆる代替実施形態を含む本明細書に記載されている任意のやり方で物品９０１内に構成され得る。
【０１３１】
スパインの後方９３５は、後方ＬＤＥ  ９３３と、スパインの前方９４５とに接続する。スパインの後方９３５は、吸収性コア９２７の後方の下にあり、それに接合される。スパインの前方９４５は、スパインの後方９３５と、前方ＬＤＥ  ９４３とに接続する。スパインの前方９４５は、吸収性コア９２７の前方の下にあり、それに接合される。スパイン９３５、９４５は、物品９０１上に横方向に中心合わせされる。スパイン９３５、９４５は、本明細書に記載されている任意のやり方で物品９０１内に構成され得る。
【０１３２】
第１の代替実施形態では、スパインの後方９３５の一部若しくはいくつかの部分又は実質的に全て若しくは全て、及び／又はスパインの前方９４５の一部若しくはいくつかの部分又は実質的に全て若しくは全ては、長手方向中心線９１３からオフセットに、及び／又は吸収性コア９２７の横方向外側寄り側部に近接して配置され得る。第２の代替実施形態では、スパインの後方９３５の一部若しくはいくつかの部分又は実質的に全て若しくは全て、及び／又はスパインの前方９４５の一部若しくはいくつかの部分又は実質的に全て若しくは全ては、吸収性コア９２７の区域の外側に配置され得る。第３の代替実施形態では、スパインの後方９３５の一部又はいくつかの部分は、１つ以上の追加的な場所及び／又は代替の場所で後方ＬＤＥ  ９３３の一方又は両方と接続することができ、及び／又は、スパインの前方９４５の一部又はいくつかの部分は、１つ以上の追加的な場所及び／又は代替の場所で前方ＬＤＥ  ９４３の一方又は両方と接続することができる。第４の代替実施形態では、スパインの後方９３５の一部又はいくつかの部分、及び／又はスパインの前方９４５の一部又はいくつかの部分は、本明細書に記載したように、１つ以上の追加的な固定経路と接続することができる。第５の代替実施形態では、物品９０１は２つ以上のスパインを含むことができ、それぞれのスパインは本明細書に記載される任意のやり方で構成される。第６の代替実施形態では、スパインの後方９３５の一部若しくはいくつかの部分又は実質的に全て若しくは全て、及び／又はスパインの前方９４５の一部若しくはいくつかの部分又は実質的に全て若しくは全ては、吸収性コア９２７に接合されなくてもよい。これらの代替実施形態のいずれにおいても、スパインの後方９３５の経路の一部若しくはいくつかの部分又は実質的に全て若しくは全て、及び／又はスパインの前方９４５の経路の一部若しくはいくつかの部分又は実質的に全て若しくは全てを、削除することができる。これらの代替実施形態のいずれにおいても、１つ以上の固定バンドを、スパインの後方９３５及び／又はスパインの前方９４５の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【０１３３】
更に、物品９０１の前方９２３の実施形態のいずれも、本明細書に開示されるように又は当該技術分野において既知のように、任意の前／横締結式使捨着用可能吸収性物品の後方の実施形態のいずれか（固定システムのない後方を含む）と組み合わせて、更なる代替実施形態を創出することができる。更に、物品９０１の後方９２５の実施形態のいずれも、本明細書に開示されるように又は当該技術分野において既知のように、任意の前／横締結式使捨着用可能吸収性物品の前方の実施形態のいずれか（固定システムのない前方を含む）と組み合わせて、更なる代替実施形態を創出することができる。
【０１３４】
図９Ｂは、固定システム９３０を含む、パンツ型使捨着用可能吸収性物品９０２の平面図を示す。図９Ｂの図は、物品９０２及びシャーシ９２２の内側（着用者に面する側）を示す。
【０１３５】
図９Ｂの実施形態の一般的な要素のそれぞれは、図１Ｄの実施形態の同様の番号の要素と同じやり方で構成され、固定システム９３０の要素は、シャーシの種類の違いを除き、図９Ａの実施形態の同様の番号の要素と同じやり方で構成される。代替実施形態では、パンツ型使捨着用可能吸収性物品９０２は、図１Ａの実施形態と同じやり方で構成されたシャーシを有するベルト型パンツになるように変更されてもよい。
【０１３６】
図１０Ａは、固定システム１０３０を含む、前／横締結式使捨着用可能吸収性物品１００１の平面図を示す。図１０Ａの実施形態の一般的な要素のそれぞれは、図１Ｅの実施形態の同様の番号の要素と同じやり方で構成される。図１０Ａの図は、物品１００１及びシャーシ１０２１の内側（着用者に面する側）を示す。
【０１３７】
固定システム１０３０は、図９ＡのＣＡＭ  ９３０に相当する要素を含まない。後方ＬＤＥ  １０３３のそれぞれは、真っ直ぐではなく湾曲している。図１０Ａの実施形態では、後方ＬＤＥ  １０３３は、後方腰部端縁１００４に対して凸状になるように湾曲しているが、様々な実施形態では、後方ＬＤＥの一方又は両方は、後方腰部端縁１００４に対して凹状になるように湾曲していてもよい。また、後方ＬＤＥ  １０３３のそれぞれは、吸収性コア１０２７から側耳部の長手方向端縁の部分まで延在する。前方ＬＤＥ  １０４３のそれぞれは、真っ直ぐではなく湾曲している。図１０Ａの実施形態では、前方ＬＤＥ  １０４３は、前方腰部端縁１００９に対して凸状になるように湾曲しているが、様々な実施形態では、前方ＬＤＥの一方又は両方は、前方腰部端縁１００９に対して凹状になるように湾曲していてもよい。また、前方ＬＤＥ  １０４３のそれぞれは、吸収性コア１０２７から側耳部の長手方向端縁の部分まで延在する。後方ＬＤＥ  １０３３及び前方ＬＤＥ  １０４３は、図９Ａに関して記載されたＬＤＥの任意の代替実施形態を含む、本明細書に記載の任意のやり方で構成され得る。
【０１３８】
図１０Ｂは、固定システム１０３０を含む、パンツ型使捨着用可能吸収性物品１００２の内側の平面図を示す。図１０Ｂの図は、物品１００２及びシャーシ１０２２の内側（着用者に面する側）を示す。
【０１３９】
図１０Ｂの実施形態の一般的な要素のそれぞれは、図１Ｄの実施形態の同様の番号の要素と同じやり方で構成され、固定システム１０３０の要素は、シャーシの種類の違いを除き、図１０Ａの実施形態の同様の番号の要素と同じやり方で構成される。代替実施形態では、パンツ型使捨着用可能吸収性物品１００２は、図１Ａの実施形態と同じやり方で構成されたシャーシを有するベルト型パンツになるように変更されてもよい。
【０１４０】
図１１Ａは、固定システム１１３０を含む、前／横締結式使捨着用可能吸収性物品１１０１の内側の平面図を示す。図１１Ａの実施形態の一般的な要素のそれぞれは、図１Ｅの実施形態の同様の番号の要素と同じやり方で構成される。図１１Ａの図は、物品１１０１及びシャーシの内側（着用者に面する側）を示す。
【０１４１】
固定システム１１３０は、図９ＡのＬＤＥ  ９３３及び９４３に相当する要素を含まない。固定システム１１３０は、前方ＣＡＭ  １１３１及び後方ＣＡＭ  １１６１を含み、ＣＡＭのそれぞれは、図９Ａに関して記載されたＣＡＭの任意の代替実施形態を含む、ＣＡＭに関して本明細書に記載される任意のやり方で構成され得る。
【０１４２】
図１１Ｂは、固定システム１１３０を含む、パンツ型使捨着用可能吸収性物品１１０２の内側の平面図を示す。図１１Ｂの図は、物品１１０２及びシャーシの内側（着用者に面する側）を示す。
【０１４３】
図１１Ｂの実施形態の一般的な要素のそれぞれは、図１Ｄの実施形態の同様の番号の要素と同じやり方で構成され、固定システム１１３０の要素は、シャーシの種類の違いを除き、図１１Ａの実施形態の同様の番号の要素と同じやり方で構成される。代替実施形態では、パンツ型使捨着用可能吸収性物品１１０２は、図１Ａの実施形態と同じやり方で構成されたシャーシを有するベルト型パンツになるように変更されてもよい。
【０１４４】
本開示の実施形態は、共に十分に働く異なる弾性構造体を有する使捨着用可能吸収性物品を含む。異なる弾性構造体は、多層内に分離されている。例えば、使捨着用可能吸収性物品は、材料の層によって互いから分離される成形弾性体及び固定弾性体を含むことができる。成形弾性体は固定弾性体から分離されているため、それらの働きは競合しない。成形弾性体は、順応するフィット性を提供し、着用者の皮膚全体に接触力を分散するのに少なくとも役立ち得るのに対し、固定弾性体は、物品を着用者上の適所に保持するのに少なくとも役立ち得る。その結果、本開示の使捨着用可能吸収性物品は、快適さを感じ、魅力的に見え、着用者が着用している間、十分に機能することができる。
【０１４５】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【０１４６】
あらゆる相互参照又は関連特許若しくは特許出願を含む、本明細書に引用される文献は全て、明白に除外、さもなくば限定されている場合を除いて、参照することにより本明細書中にその全容を援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１４７】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１Ａ】
0005996790.tif 000002
【図１Ｂ】
0005996790.tif 000003
【図１Ｃ】
0005996790.tif 000004
【図１Ｄ】
0005996790.tif 000005
【図１Ｅ】
0005996790.tif 000006
【図２Ａ】
0005996790.tif 000007
【図２Ｂ】
0005996790.tif 000008
【図２Ｃ】
0005996790.tif 000009
【図２Ｄ】
0005996790.tif 000010
【図３Ａ】
0005996790.tif 000011
【図３Ｂ】
0005996790.tif 000012
【図３Ｃ】
0005996790.tif 000013
【図３Ｄ】
0005996790.tif 000014
【図３Ｅ】
0005996790.tif 000015
【図４Ａ】
0005996790.tif 000016
【図４Ｂ】
0005996790.tif 000017
【図５Ａ】
0005996790.tif 000018
【図５Ｂ】
0005996790.tif 000019
【図６Ａ】
0005996790.tif 000020
【図６Ｂ】
0005996790.tif 000021
【図７Ａ】
0005996790.tif 000022
【図７Ｂ】
0005996790.tif 000023
【図８Ａ】
0005996790.tif 000024
【図８Ｂ】
0005996790.tif 000025
【図９Ａ】
0005996790.tif 000026
【図９Ｂ】
0005996790.tif 000027
【図１０Ａ】
0005996790.tif 000028
【図１０Ｂ】
0005996790.tif 000029
【図１１Ａ】
0005996790.tif 000030
【図１１Ｂ】
0005996790.tif 000031